(57)【特許請求の範囲】
【請求項１】
複数の図柄を変動表示可能な複数の回転リールと、
遊技者の操作により前記回転リールの図柄の変動表示を開始させるためのスタートスイッチと、
前記複数の回転リールの各々に対応して設けられ、前記複数の回転リールの図柄の変動表示の開始後、遊技者の操作により前記回転リールの図柄の変動表示を個別に停止させるための複数のストップスイッチとを備える遊技機において、
前記遊技機は、複数の遊技状態を備えており、
前記遊技状態には、通常状態と、前記通常状態よりも遊技者にとって有利となり得る有利状態と、前記有利状態への移行又は継続するか否かの遊技進行結果が当該状態の遊技における前記スタートスイッチの操作前に予め取得され、かつ、該有利状態への移行又は継続を示唆する特殊状態とを備え、
前記予め取得された前記遊技進行結果の書き換えを行うか否かの判断及び実行を行う遊技状態書換手段と、
遊技者にとって有利な特典の付与を行うか否かの判断及び実行を行う第１特典付与手段と、が設けられ、
前記特殊状態中の所定の遊技で、前記ストップスイッチを、特定の操作態様で操作された場合は、前記遊技状態書換手段による前記遊技進行結果の書き換えを行うか否かの判断及び実行が行われ、前記特定の操作態様以外の操作態様で操作された場合は、前記第１特典付与手段による前記有利な特典の付与が行われることを特徴とする遊技機。
【請求項２】
前記特殊状態中における遊技進行結果が遊技者にとって不利となり得るものであって、遊技者が特定の操作態様のストップスイッチの操作を行った場合には、前記遊技状態書換手段により、前記遊技進行結果の書き換えが行われ、
前記特殊状態中における遊技進行結果が遊技者にとって不利となり得るものであって、前記有利な特典が貯蓄されている場合に、前記特殊状態から前記通常状態に移行すると、前記第１特典付与手段により、当該貯蓄されていた前記有利な特典を消滅させることを特徴とする請求項１に記載の遊技機。
【請求項３】
前記特殊状態に移行するか否かの移行抽選を行う移行抽選手段が設けられ、
前記特殊状態中における遊技進行結果が遊技者にとって不利となり得るものであって、遊技者が特定の操作態様のストップスイッチの操作を行った場合には、前記遊技状態書換手段により、前記遊技進行結果の書き換えが行われ、
前記特殊状態中における遊技進行結果が遊技者にとって不利となり得るものであって、前記有利な特典が貯蓄されている場合に、前記特殊状態から前記通常状態に移行すると、当該貯蓄されている前記有利な特典に基づいて、前記移行抽選手段により、前記特殊状態に移行するか否かの移行抽選を行うことを特徴とする請求項１に記載の遊技機。
【請求項４】
前記第１特典付与手段とは異なる特典が付与される第２特典付与手段が設けられ、
前記特殊状態中における遊技進行結果が遊技者にとって不利となり得るものであって、遊技者が特定の操作態様のストップスイッチの操作を行った場合には、前記遊技状態書換手段により、前記遊技進行結果の書き換えが行われ、
前記特殊状態中における遊技進行結果が遊技者にとって不利となり得るものであって、前記有利な特典が貯蓄されている場合に、前記特殊状態から前記通常状態に移行すると、当該貯蓄されている前記有利な特典に基づいて、第２特典付与手段により、前記第１特典付与手段とは異なる特典が付与されることを特徴とする請求項１に記載の遊技機。
【発明の詳細な説明】
【技術分野】
【０００１】
本発明は、スロットマシン等の遊技機に関する。
【背景技術】
【０００２】
スロットマシン等の遊技機は、所定の移行契機に該当することより移行可能な、通常状態よりも遊技者にとって有利となり得る有利状態が設けられていることが多い。
この有利状態として、たとえば、所定の条件が成立すると、報知演出が行われない通常状態から、ストップスイッチの特定の操作態様（押し順）や当選図柄等を報知することによって役に係る図柄の組合せを有効ライン上に揃えて停止させるためのアシストをするアシストタイム（ＡＴ）や、アシストタイムかつ再遊技役（リプレイ役）の当選確率が高確率状態のリプレイタイム（ＲＴ）である、いわゆるアシストリプレイタイム（ＡＲＴ）などが知られている。
【０００３】
ここで、通常状態から有利状態への移行は、有利状態への移行契機となる抽選（移行抽選）に当選することが条件となる場合が多い。このとき、移行抽選に当選することで、直接有利状態へ移行する場合もあるが、有利状態への移行の前段階として、有利状態へ移行するか否かの遊技進行結果が予め取得され、かつ、有利状態への移行を示唆する特殊状態を経由する場合もある。
上記のように特殊状態は、有利状態へ移行するか否かの遊技進行結果が予め取得されているため、液晶の表示上では、チャンス契機（たとえば、「図柄を狙え！」など）が表示されていても、内部抽選に不当選の場合には、そのチャンスを掴むことができない。すなわち、液晶の表示上では、あたかも有利状態へ移行可能なように見せる演出が行われていても内部抽選に不当選であれば、有利状態へ移行することはできないのである。
【０００４】
そのため、従来のチャンス契機は、抽選結果等を遊技者に見せるだけの仕様になっており、当該チャンス契機において遊技者が当該チャンス契機後に行われる複数の演出から自己が希望する一の演出を任意に決定することができず、遊技性の幅が遊技機の内部抽選に一任されている。
そこで、内部抽選役として特定役が決定された場合においても、遊技者が複数種類の演出内容のうち自己の好みの演出内容を選択可能とした遊技機が、下記特許文献１に開示されている。
【先行技術文献】
【特許文献】
【０００５】
【特許文献１】特開２００９−１０１００６号公報
【発明の概要】
【発明が解決しようとする課題】
【０００６】
しかし、上記特許文献１の技術は、遊技者の好みによって自ら選択した演出が行われてしまうものの、現在行われている演出が正解なのか不正解なのかを判断して選択を行うといった駆け引きを楽しむことができない。そのため、高揚感を維持できず、遊技が単調なものになりかねない。
そこで、本発明は、遊技者が当該演出に応じて、当該演出後に行われる複数の演出から自己が希望する一の演出を任意に選択することを可能にして、遊技性の幅を自ら拡大させることができる遊技機を提供することを課題とする。
【課題を解決するための手段】
【０００７】
上記課題を解決するために、本発明は、以下のような構成を備える。
本発明に係る遊技機10は、複数の図柄61を変動表示可能な複数の回転リール62と、遊技者の操作により前記回転リール62の図柄61の変動表示を開始させるためのスタートスイッチ40と、前記複数の回転リール62の各々に対応して設けられ、前記複数の回転リール62の図柄61の変動表示の開始後、遊技者の操作により前記回転リール62の図柄61の変動表示を個別に停止させるための複数のストップスイッチ50とを備える遊技機10において、前記遊技機10は、複数の遊技状態を備えており、前記遊技状態には、通常状態と、前記通常状態よりも遊技者にとって有利となり得る有利状態と、前記有利状態への移行又は継続するか否かの遊技進行結果が当該状態の遊技における前記スタートスイッチ40の操作前に予め取得され、かつ、該有利状態への移行又は継続を示唆する特殊状態とを備え、前記予め取得された前記遊技進行結果の書き換えを行うか否かの判断及び実行を行う遊技状態書換手段280と、遊技者にとって有利な特典の付与を行うか否かの判断及び実行を行う第１特典付与手段291と、が設けられ、前記特殊状態中の所定の遊技で、前記ストップスイッチ50を、特定の操作態様で操作された場合は、前記遊技状態書換手段280による前記遊技進行結果の書き換えを行うか否かの判断及び実行が行われ、前記特定の操作態様以外の操作態様で操作された場合は、前記第１特典付与手段291による前記有利な特典の付与が行われることを特徴とする。
【０００８】
ここで、本発明における「有利状態」とは、後述する発明を実施するための形態における「ＡＴ状態」又は「ＡＲＴ状態」に相当し、本発明における「特殊状態」とは、後述する発明を実施するための形態における「継続抽選状態」又は「ＡＲＴ前兆状態」に相当するが、これに限定されるものではなく、「有利状態」がいわゆる「チャンスゾーン」や「上乗せ特化ゾーン」、「特殊状態」がいわゆる「チャンスゾーン前兆」、「上乗せ特化ゾーン前兆」等でもよい。
【０００９】
この構成によれば、特殊状態中の所定の遊技に、ストップスイッチ50の操作態様に応じて、予め取得された遊技進行結果の書き換えを行うか否かを遊技者に選択させることができる。そのため、遊技者は自らの判断で遊技進行結果を選択できることとなり、現在行われている演出から今後の遊技進行結果を判断して選択を行うといった駆け引きが遊技性に入り込むことで興趣を高めることができる。
また、この構成によれば、特殊状態中の所定の遊技に、ストップスイッチ50の操作態様に応じて、予め取得された遊技進行結果の書き換えを行うか、又は第１特典付与手段291による有利な特典が付与されるか否かを遊技者に選択させることができる。そのため、遊技者は自らの判断で遊技進行結果の書き換え又は有利な特典の獲得を行えるため、さらに遊技の選択肢が広がることで興趣を高めることができる。
【００１０】
また、本発明に係る遊技機10の具体例としては、さらに、遊技者にとって有利な特典の付与を行うか否かの判断及び実行を行う第１特典付与手段291が更に設けられ、前記特殊状態中の所定の契機における前記ストップスイッチ50の操作態様に応じて、前記遊技状態書換手段280による前記遊技進行結果の書き換え、又は前記第１特典付与手段291による前記有利な特典の付与が行われることを特徴とする。
【００１１】
この構成によれば、特殊状態中の所定の契機に、ストップスイッチ50の操作態様に応じて、予め取得された遊技進行結果の書き換えを行うか、又は第１特典付与手段291による有利な特典が付与されるか否かを遊技者に選択させることができる。そのため、遊技者は自らの判断で遊技進行結果の書き換え又は有利な特典の獲得を行えるため、さらに遊技の選択肢が広がることで興趣を高めることができる。
【００１２】
また、本発明に係る遊技機10の具体例としては、さらに、前記特殊状態中における遊技進行結果が遊技者にとって不利となり得るものであって、遊技者が特定の操作態様のストップスイッチ50の操作を行った場合には、前記遊技状態書換手段280により、前記遊技進行結果の書き換えが行われ、前記特殊状態中における遊技進行結果が遊技者にとって不利となり得るものであって、前記有利な特典が貯蓄されている場合に、前記特殊状態から前記通常状態に移行すると、前記第１特典付与手段291により、当該貯蓄されていた前記有利な特典を消滅させることを特徴とする。
【００１３】
この構成によれば、遊技進行結果が不利であり、かつ、有利な特典を有する場合において、特殊状態から通常状態に移行すると、有利な特典が消滅するため、特殊状態中の遊技進行に一喜一憂させることができ、興趣を高めることができる。
【００１４】
また、本発明に係る遊技機10の具体例としては、さらに、前記特殊状態に移行するか否かの移行抽選を行う移行抽選手段271が設けられ、前記特殊状態中における遊技進行結果が遊技者にとって不利となり得るものであって、遊技者が特定の操作態様のストップスイッチ50の操作を行った場合には、前記遊技状態書換手段280により、前記遊技進行結果の書き換えが行われ、前記特殊状態中における遊技進行結果が遊技者にとって不利となり得るものであって、前記有利な特典が貯蓄されている場合に、前記特殊状態から前記通常状態に移行すると、当該貯蓄されている前記有利な特典に基づいて、前記移行抽選手段271により、前記特殊状態に移行するか否かの移行抽選を行うことを特徴とする。
【００１５】
この構成によれば、遊技進行結果が不利であり、かつ、有利な特典を有する場合において、特殊状態から通常状態に移行したとしても、特殊状態継続へのチャンスが付与されるため、遊技者の興味を維持することができ、興趣を高めることができる。
【００１６】
また、本発明に係る遊技機10の具体例としては、さらに、前記第１特典付与手段291とは異なる特典が付与される第２特典付与手段292が設けられ、前記特殊状態中における遊技進行結果が遊技者にとって不利となり得るものであって、遊技者が特定の操作態様のストップスイッチ50の操作を行った場合には、前記遊技状態書換手段280により、前記遊技進行結果の書き換えが行われ、前記特殊状態中における遊技進行結果が遊技者にとって不利となり得るものであって、前記有利な特典が貯蓄されている場合に、前記特殊状態から前記通常状態に移行すると、当該貯蓄されている前記有利な特典に基づいて、第２特典付与手段292により、前記第１特典付与手段291とは異なる特典が付与されることを特徴とする。
【００１７】
この構成によれば、遊技進行結果が不利であり、かつ、有利な特典を有する場合において、特殊状態から通常状態に移行したとしても、小さな特典が付与されるため、遊技者の遊技進行を継続させることができ、興趣を高めることができる。
【図面の簡単な説明】
【００１８】
【図１】本発明の実施の形態であって、遊技機の概略正面図である。
【図２】本発明の実施の形態であって、図柄の配列を説明するための説明図である。
【図３】本発明の第1の実施の形態であって、遊技機の入力、制御及び出力を示すブロック図である。
【図４】本発明の実施の形態であって、遊技制御手段の詳細を説明するための概略ブロック図である。
【図５】本発明の実施の形態であって、ボーナス役の図柄組合せ等を示す図である。
【図６】本発明の実施の形態であって、再遊技役（リプレイ役）の図柄組合せ等を示す図である。
【図７】本発明の実施の形態であって、小役（チェリー役）の図柄組合せ等を示す図である。
【図８】本発明の実施の形態であって、小役（スイカ役）の図柄組合せ等を示す図である。
【図９】本発明の実施の形態であって、小役（ベル役）の図柄組合せ等を示す図である。
【図１０】本発明の実施の形態であって、重複当選役（同時当選役）とグループとを示す図である。
【図１１】本発明の実施の形態であって、メイン制御手段側で管理している遊技状態の説明図である。
【図１２】本発明の第１及び第２の実施の形態であって、演出状態の説明図である。
【図１３】本発明の実施の形態であって、遊技の流れを説明するためのフローチャートである。
【図１４】本発明の実施の形態であって、ＡＲＴ通常状態の流れを説明するためのフローチャートである。
【図１５】本発明の第1の実施の形態であって、継続抽選状態の流れを説明するためのフローチャートである。
【図１６】本発明の第1の実施の形態であって、継続抽選状態の流れを説明するためのフローチャートである。
【図１７】本発明の第２及び第３の実施の形態であって、遊技機の入力、制御及び出力を示すブロック図である。
【図１８】本発明の第２の実施の形態であって、継続抽選状態の流れを説明するためのフローチャートである。
【図１９】本発明の第２の実施の形態であって、継続抽選状態の流れを説明するためのフローチャートである。
【図２０】本発明の第３の実施の形態であって、演出状態の説明図である。
【図２１】本発明の第３の実施の形態であって、継続抽選状態の流れを説明するためのフローチャートである。
【図２２】本発明の第３の実施の形態であって、継続抽選状態の流れを説明するためのフローチャートである。
【図２３】本発明の第４の実施の形態であって、遊技機の入力、制御及び出力を示すブロック図である。
【図２４】本発明の第４の実施の形態であって、ＡＲＴ通常状態の流れを説明するためのフローチャートである。
【図２５】本発明の第４の実施の形態であって、継続抽選状態の流れを説明するためのフローチャートである。
【図２６】本発明の第４の実施の形態であって、継続抽選状態の流れを説明するためのフローチャートである。
【図２７】本発明の変形例であって、ＡＲＴ前兆状態の流れを説明するためのフローチャートである。
【図２８】本発明の変形例であって、ＡＲＴ前兆状態の流れを説明するためのフローチャートである。
【図２９】本発明の変形例であって、遊技制御手段の詳細を説明するための概略ブロック図である。
【発明を実施するための形態】
【００１９】
（第１の実施形態）
（遊技機10）
本明細書では、各説明箇所において、方向についての定義等が示されていない場合には、遊技機10の方を向いて位置している遊技者から見て、遊技機10から遊技者の手前側に向かう方向を「前」方向とし、その逆方向を「後」方向とする。また、同様に、「左」や「右」等の左右方向も、遊技者から見た場合の左方向や、右方向を意味する。同様に、各部材の説明においても、方向についての定義等が示されていない場合には、各部材を、遊技機10の所定位置に固定した状態における遊技者から見た方向を意味する。
本実施の形態に係る遊技機10としてのスロットマシンを、以下、図１を参照しながら説明する。
【００２０】
（筐体12、前扉14）
本実施の形態に係る遊技機10としてのスロットマシンは、前方向に向かって開口する正面開口を有する四角箱状の筐体12と、この筐体12の正面開口を開閉自在に覆う前扉14とを備えている。
【００２１】
（回転リール62）
前扉14の上部には、薄板樹脂からなる上パネル20を備えている。この上パネル20の略中央には、３個の回転リール62（正面から向かって左側の左回転リール64、中央の中回転リール66、右側の右回転リール68）の円周上の図柄61を見ることができる透過可能な図柄表示窓部16が形成されている。この図柄表示窓部16は、３個すべての回転リール62の回転が停止した際には、縦３列横３行に配置した合計９個の図柄61を遊技者に見せるように形成されている。この図柄表示窓部16は、回転リール62の正面側に設けられて、回転リール62の回転が停止した際、後述する有効ライン86上に停止している複数の図柄61を視認するためのものである。回転リール62は、複数の図柄61を、図柄表示窓部16を介して変動表示可能なものである。
【００２２】
（リールユニット60）
前記図柄表示窓部16の後方向（奥方向）には、３個の駆動モータ（図示せず）と、この各駆動モータによってそれぞれ回転させられる合計３個の前記回転リール62と、前記駆動モータ及び前記回転リール62を保持するユニットホルダ（図示せず）とを有するリールユニット60が配置されている。
【００２３】
（演出装置70）
前記前扉14には、遊技者に役抽選の当選等の種々の情報を音や光や映像等で報知させる演出装置70が形成されている。この演出装置70は、前扉14に配置されているものであって、スピーカー72と、表示装置84と、演出用ランプ78とを備えている。なお、回転リール62は、通常、遊技進行のために用いられるが、遊技の進行を停止している状態において、通常の回転動作とは異なる挙動による演出（いわゆるリール演出）を示すことにより演出装置70の一種としても使用される。
【００２４】
（スピーカー72）
前記スピーカー72は、前扉14の上部左右に配置された上部スピーカー74と、前扉14の下部左右に配置された下部スピーカー76とを備えている。
【００２５】
（表示装置84）
前記表示装置84は、その画面に種々の映像を表示するための表示デバイスであり、動画を含んだ映像の表示を行うための液晶表示装置84を有する演出ユニットを構成するものである。
【００２６】
（演出用ランプ78）
前記演出用ランプ78は、前扉14の上部に配置された上部ランプ80と、前扉14の下部の左右に配置された下部ランプ82とを備えている。
【００２７】
（操作部30）
前記前扉14の下部には下パネル22が設けられている。そして、前扉14には下パネル22の上に位置して前扉14の前方向へ向けて突出する操作部30を備えている。
本実施の形態に係る遊技機10には、遊技開始の条件としてメダル投入口38からあらかじめメダルを投入して、最大５０枚までクレジットメダルとして内部に貯留可能なクレジット機能（投入枚数を電子データとして電子的に記憶し管理する機能）を有している。なお、このクレジットメダルとして貯留可能な最大枚数である５０枚を最大クレジットメダル数とする。
【００２８】
（精算スイッチ36）
前記メダル投入口38の下には、クレジット機能によりクレジットしたメダルのすべてを払い出すための精算スイッチ36が設けられている。
【００２９】
（ストップスイッチ50）
この精算スイッチ36の左側には、操作により対応する回転リール62の回転を停止させるため、３個の回転リール62のそれぞれに対応する３個のストップスイッチ50が設けられている。このストップスイッチ50は、左回転リール64を停止させるための左ストップスイッチＬと、中回転リール66を停止させるための中ストップスイッチＣと、右回転リール68を停止させるための右ストップスイッチＲとを有している。すなわち、これらのストップスイッチ50は、複数の回転リール62それぞれに対応して設けられ、複数の回転リール62の図柄61の変動表示の開始後、遊技者の操作により回転リール62の図柄61の変動表示を個別に停止させるためのものである。
【００３０】
（スタートスイッチ40）
このストップスイッチ50の左側には、メダルの投入又は後述するマックスベットスイッチ34の操作を条件に回転リール62の回転を開始させるためのスタートスイッチ40が設けられている。すなわち、このスタートスイッチ40は、遊技者の操作により回転リール62の図柄61の変動表示を開始させるためのものである。
【００３１】
（マックスベットスイッチ34）
このスタートスイッチ40の上には、クレジットしたメダル数から最大投入枚数（具体的には３枚）に達するまで投入可能なメダル数を減じて３枚のメダル投入に代えるマックスベットスイッチ34が設けられている。
なお、マックスベットスイッチ34に加えて、又はマックスベットスイッチ34に代えて、クレジットしたメダル数を１枚減じて１枚のメダル投入に代えるシングルベットスイッチを設けてもよい。
【００３２】
（貯留払出手段24等）
前記前扉14の下部の後方向（奥方向）には、いわゆるホッパーユニットであって、メダルを貯留することができるとともに、メダルを払い出すことができる貯留払出手段24（図３参照）と、電源投入又は電源遮断のための操作が可能な電源スイッチを有すると共に各部品に電力を供給するための電源装置（図示せず）とが配置されている。
【００３３】
（メダル払出口28等）
前記前扉14の下部には、所定の場合に貯留払出手段24からメダルが払い出されるメダル払出口28が形成されている。このメダル払出口28の下方には、メダル払出口28から払い出されたメダルを貯留するため、上方に向かって開口する皿状のメダル受け皿26が形成されている。なお、クレジットされているメダル数が最大クレジットメダル数である５０枚未満の場合は、５０枚に到達するまで、獲得したメダルはメダル払出口28から払い出されずにクレジットメダルの枚数に加算される。
【００３４】
（遊技の流れの説明）
本実施の形態に係る遊技機10は、マックスベットスイッチ34の操作又はメダル投入により所定枚数のメダルを投入することにより遊技の開始を可能とするものである。そして、スタートスイッチ40の押下操作により、回転リール62の回転を開始させて遊技が開始されるとともに、後述するメイン制御手段200の各遊技状態に対応した抽選テーブルを用いて役抽選が行われる。そして、当該遊技機10は、各回転リール62に対応するストップスイッチ50の操作タイミング及び役抽選の結果に基づいて、回転リール62の回転を役抽選の結果に適合するように停止させる。当該遊技機10は、停止時の図柄61の組合せによって、当選した役を構成する図柄61の組合せが所定の有効なライン（所定の役の図柄61の組合せが当該ライン上に揃ったときに所定の利益が付与されるラインのことであり、以下、有効ライン86とする。）上に停止した場合に、入賞等となり、所定枚数のメダルを払い出す等の所定の利益を遊技者に付与する。これにより、１回の遊技が終了するものである。
なお、「有効ライン86」は後述の停止図柄判定手段230の判定対象となるラインを意味し、後述する小役の「入賞」等は有効ライン86上に役に対応した図柄61の組合せが揃うことを意味する。本実施の形態の有効ライン86は、左回転リール64の中段と中回転リール66の中段と右回転リール68の中段とを結んだ１本のみからなるものである。
【００３５】
（図柄61）
図２に示すように、左回転リール64、中回転リール66及び右回転リール68の表面には、「Ｒ７（赤７）」、「Ｂ７（青７）」、「ＢＲ」、「ＢＬ」、「Ｃ１（チェリー）」、「ＷＭ（スイカ）」「Ｒ１（リプレイ１）」、「Ｒ２（リプレイ２）」、「Ｂ１（ベル１）」、「Ｂ２（ベル２）」の複数の種々の図柄61が形成されている。
これらの図柄61は、それぞれの絵柄がプリントされたテープを回転リール62の外周表面に貼付することで形成されている。なお、図２の図柄61の番号（コマ番号）は、回転リール62の外周表面に物理的に付されているものではなく、仮想的な番号であって、各図柄61の停止を制御するためのプログラムで特定の図柄61を指定するためのものである。
【００３６】
（制御装置100）
図３に示すように、遊技機10の内部には、遊技機10の全体の動作を制御するための制御装置100が形成されている。この制御装置100は、遊技を進行させて遊技状態を制御するメイン制御手段200と、このメイン制御手段200からの情報（コマンド）を受けて、遊技の進行に応じた演出を制御し、主に遊技内容に関する情報を遊技者に報知する演出を行うために演出状態を制御するサブ制御手段500とを備えている。
【００３７】
ここで、メイン制御手段200の制御に基づくスロットマシンの作動状態を遊技状態といい、サブ制御手段500の制御に基づくスロットマシンの作動状態を演出状態というものとする。なお、メイン制御手段200とサブ制御手段500との間は、メイン制御手段200への不正操作を防止するために、メイン制御手段200からサブ制御手段500への一方向の通信により行われ、サブ制御手段500からメイン制御手段200への逆方向の通信は行われていない（すなわち双方向の通信ではない）。メイン制御手段200は、マックスベットスイッチ34、精算スイッチ36、スタートスイッチ40、ストップスイッチ50の入力を受け付け、役抽選を行い、リールユニット60及び貯留払出手段24の作動を制御する。サブ制御手段500は、メイン制御手段200から信号を入力し、表示装置84等の演出装置70の作動を制御する。サブ制御手段500の出力側には、演出装置70としてのスピーカー72、表示装置84、演出用ランプ78の各パーツが接続されている。
【００３８】
なお、特に図示していないが、メイン制御手段200を有するメイン基板と、サブ制御手段500を有するサブ基板とは、それぞれ専用の基板ケースの内部に収納されている。具体的には、メイン制御手段200は、メイン基板ケースの内部に収納され、サブ制御手段500は、サブ基板ケースの内部に収納されている。そして、メイン基板ケースは、筐体12内部の奥側の上部に固定され、サブ基板ケースは、筐体12内部の正面から向かって左側に固定されている。
【００３９】
メイン制御手段200及びサブ制御手段500は、ＣＰＵ、ＲＯＭ、ＲＡＭ、Ｉ／Ｏポート（図示せず）を備えたマイクロコンピュータにより構成される。ＣＰＵは、タイマ割込などの割込機能を持ち、ＲＯＭに記憶されたプログラムを実行して、種々の処理を行う。ＲＯＭは、ＣＰＵが実行するプログラムや各種テーブル等の固定的なデータを記憶し、ＲＡＭは、ＣＰＵがプログラムを実行する際の一時的な記憶領域、たとえば遊技機10の状態を記憶するための記憶領域や、役抽選の抽選結果を記憶するための記憶領域として使用される。
【００４０】
本実施の形態に係る遊技機10では、通常に行われるノーマル状態、一般状態が設けられている。このノーマル状態、一般状態よりも再遊技役（リプレイ役）の当選の確率が高く（或いは低く）設定されているリプレイタイム（ＲＴ）状態が設けられている。さらに、メイン制御手段200では、ボーナス移行役に入賞することにより実行されるボーナス遊技状態が設けられている（図１１参照）。これらの遊技は、メイン制御手段200により制御される。
【００４１】
また、演出状態としてストップスイッチ50の押し順や当選図柄61等を報知することによって役に係る図柄61の組み合わせを有効ライン86上に揃って停止させるためのアシストをするアシストタイム（ＡＴ）状態が設けられている。
アシストタイム（ＡＴ）状態は、図１２に示すように、通常状態（非アシストタイム（ＡＴ）状態）よりも遊技者に有利な遊技となり得るように形成されている。
ここで、ＲＴ状態で行われている遊技をリプレイタイム遊技（ＲＴ遊技）、ＡＴ状態で行われている遊技をアシストタイム遊技（ＡＴ遊技）としている。
【００４２】
ＡＴ遊技は、所定の開始条件を達成したときに開始可能であり、所定の終了条件を達成したときに終了可能に形成されている。具体的には、ＡＴ遊技は、役抽選の抽選結果、所定の移行役に当選した場合や、後述する移行抽選手段271により所定の移行抽選に当選した場合に開始可能であり、所定の条件を満たすことにより終了可能なものである。なお、これらの開始条件や終了条件に限定されるものではなく、他の内容の条件に設定してもよいものである。
【００４３】
（メイン制御手段200）
メイン制御手段200は、役抽選手段210、リール制御手段220、停止図柄判定手段230、払出制御手段240、遊技制御手段250、カウント手段260、ＡＴ制御手段270、遊技状態書換手段280、特典付与手段290、送信手段300の各手段を有する。各手段の詳細については後述する。なお、カウント手段260、ＡＴ制御手段270、遊技状態書換手段280、及び特典付与手段290は、メイン制御手段200ではなく、サブ制御手段500が有しても良いし、又、メイン制御手段200とサブ制御手段500との両方に分けて有するようにしても良い。
【００４４】
以上の構成をもって、メイン制御手段200は、役の抽選を行い、回転リール62の回転及び停止を制御し、回転リール62がすべて停止したときに停止図柄の判定を行い、遊技の進行を行う手段として機能することとなる。
メイン制御手段200は、遊技を制御するためのものであって、遊技を進行させるためのものである。以下、本実施の形態における遊技について説明する。
規定の賭け数（３枚）が設定されると、１本の有効ライン86（図１参照）が設定される。なお、本実施の形態に係る遊技機10は、規定の賭け数として３が設定されている。賭け数を設定する方法には、メダル投入口38からメダルを投入する方法と、マックスベットスイッチ34を操作することによってクレジットメダルを賭け数として設定する方法とがある。そして、規定の賭け数（３枚）が設定されていることを条件に、スタートスイッチ40を操作すると、賭け数が確定し、役抽選手段210により、複数の役のいずれかに当選したか又はハズレかの抽選（役抽選）が行われる。また、役抽選とほぼ同時に、前回の遊技での回転リール62の回転開始時から所定の時間（本実施の形態では、４．１秒）が経過しているか否かが判定され、所定の時間が経過すると、３個すべての回転リール62の回転が開始する。
【００４５】
本実施の形態では、役として、大別すると、ベル役、弱チェリー役、強チェリー役、弱スイカ役、強スイカ役、チャンス役などの小役（メダルの払い出しを伴う役や、演出状態の移行の契機となる役）、再遊技役（遊技者所有のメダルを使用することなく次回の遊技を開始可能とする役、いわゆるリプレイ役）、移行役（遊技状態の移行を伴う役）が設けられている。
【００４６】
回転リール62の回転開始後、所定の条件（本実施の形態では、回転リール62を加速する処理を実行した後、所定のセンサにより回転リール62の回転位置が基準位置であることを検出すること）が成立すると、ストップスイッチ50の操作が可能な状態（停止操作可能状態）となる。
その後に、３個のストップスイッチ50のうち１個を操作すると、当該ストップスイッチ50に対応した回転リール62の回転が停止する。そして、３個すべてのストップスイッチ50の操作を終えると、３個すべての回転リール62の回転が停止する。
このとき、有効ライン86上に所定の図柄61の組合せが揃うと、当該図柄61の組合せに対応した処理が行われる。本実施の形態に係る遊技機10は、有効ライン86上に予め定められた図柄61の組合せが揃うと遊技者に利益が付与されるように形成されている。たとえば小役に対応した図柄61の組合せが有効ライン86上に揃うと、小役に対応した枚数のメダルが遊技者に対して付与される。
【００４７】
役抽選の当選確率は、複数段階、本実施の形態では、６段階（設定１〜設定６）設定されており、設定１が最も低く、設定６が最も高くなるように設定されている。
また、有効ライン86上に再遊技役（リプレイ役）に対応する図柄61の組合せが揃うと、メダルの払い出しはないものの、次回の遊技において遊技者所有のメダルを使用することなく賭け数が自動的に設定され遊技を行うことができる。
【００４８】
（役抽選手段210）
役抽選手段210は、当選役を決定する役抽選を実行するものである。すなわち、役抽選手段210は、メイン制御手段200が備える手段であり、スタートスイッチ40の操作を契機に、複数の役のいずれかに当選か又はハズレかの抽選（役抽選）を行うためのものである。役抽選手段210は、役に当選したか否かを決定するための抽選テーブルを、主な分類としてノーマル状態用、一般状態用、ＲＴ状態用、内部当選中状態用、ボーナス遊技状態用のそれぞれに対応して複数備えており、メイン制御手段200のＲＯＭ上に記憶されている。役抽選手段210は、予め定めた抽選データと、所定範囲の整数値を繰り返してカウントするループカウンタを有する所定の乱数発生手段（乱数発生回路）が発生した乱数のうちから抽出した乱数とを比較して、当選か否かを判定する。なお、役抽選手段210による処理は、後述するステップS11（図１３参照）において行われる。
【００４９】
（リール制御手段220）
リール制御手段220は、メイン制御手段200が備える手段であり、各回転リール62の回転を停止させるためのものである。リール制御手段220は、役抽選手段210の抽選結果と、各ストップスイッチ50が操作されたときの対応する回転リール62の回転位置とに基づいて、各回転リール62の回転を停止させる。なお、リール制御手段220は、必要に応じて各ストップスイッチ50が停止操作されるときの順番が所定の条件に適合しているか否かも停止させる条件にする場合がある。なお、リール制御手段220による処理は、後述するステップS12（図１３参照）において行われる。
【００５０】
（停止図柄判定手段230）
停止図柄判定手段230は、メイン制御手段200が備える手段であり、すべての回転リール62が停止した際における有効ライン86上の図柄61の組合せを記憶するとともに入賞等の判定をするためのものである。なお、停止図柄判定手段230による処理は、後述するステップS13（図１３参照）において行われる。
【００５１】
（払出制御手段240）
払出制御手段240は、停止図柄判定手段230の判定結果に基づいて、メダル払い出し等の所定の処理を行うためのものである。払出制御手段240は、停止図柄判定手段230の判定の結果、小役が入賞していると判定されるとメダルの払い出しを行う。なお、払出制御手段240による処理は、後述するステップS14（図１３参照）において行われる。
【００５２】
（遊技制御手段250）
遊技制御手段250は、遊技状態を制御するものである。
具体的には、遊技制御手段250は、図４に示すように、大別すると、一般遊技制御手段251、内部当選中状態制御手段255及びボーナス遊技制御手段256の各手段を有する。
【００５３】
（一般遊技制御手段251）
一般遊技制御手段251は、「一般遊技状態」の進行を制御するものである。ここで、「一般遊技状態」には、図１１を用いて後述するが、「ノーマル状態」、「一般状態」及び「ＲＴ状態」を含む。
具体的には、一般遊技制御手段251は、ノーマル状態制御手段252、一般状態制御手段253及びＲＴ制御手段254を備える。
【００５４】
（ノーマル状態制御手段252）
ノーマル状態制御手段252は、「ノーマル状態」（非ＲＴ）を制御するものである。
ここで、「非ＲＴ」は、「ＲＴ」の非作動状態を意味する。「ＲＴ」は、いわゆる「リプレイタイム」の略語であり、「ＲＴ」に移行すると、再遊技に当選する抽選確率、すなわち再遊技確率が高くなる。「ＲＴ」は、「ＲＴ１」〜「ＲＴ３」の３種類があり、「ＲＴ２」が最も高確率で、次に「ＲＴ３」が高く、「ＲＴ１」が最も低く設定されている。
【００５５】
（一般状態制御手段253）
一般状態制御手段253は、「一般状態」（ＲＴ１）を制御するものである。「ノーマル状態」（非ＲＴ）から「一般状態」（ＲＴ１）に移行すると、「ＲＴ」が作動し、このときの「ＲＴ１」は、「ＲＴ２」より再遊技役の当選確率が低く設定されている。
【００５６】
（ＲＴ制御手段254）
ＲＴ制御手段254は、「ＲＴ状態」（ＲＴ２）を制御するものである。
「ＲＴ状態」は、いわゆる「リプレイタイム」とよばれ、再遊技役の当選確率が「一般状態」（ＲＴ１）よりも高確率に設定され、「高確率状態」（ＲＴ２）にある。
【００５７】
（内部当選中状態制御手段255）
内部当選中状態制御手段255は、「内部当選中状態」（ＲＴ３）を制御するものである。
「内部当選中状態」（ＲＴ３）へは、ボーナス移行役に当選することにより移行する。
「一般状態」から「内部当選中状態」に移行すると、このときの「ＲＴ３」は、「ＲＴ１」より再遊技役の当選確率が高く設定されており、又、「ＲＴ状態」から「内部当選中状態」に移行すると、このときの「ＲＴ３」は、「ＲＴ２」より再遊技役の当選確率が低く設定されている。
【００５８】
（ボーナス遊技制御手段256）
ボーナス遊技制御手段256は、「ボーナス遊技状態」を制御するものである。
「ボーナス遊技状態」は、「内部当選中状態」にボーナス移行役の図柄61を揃えることで移行し、いわゆる「ＢＢ」「ＲＢ」が連続作動し、所定の枚数、本実施の形態では、「ＢＢ」の場合は２０４枚、「ＲＢ」の場合は４８枚を超えるメダルの払い出しで終了し、「ノーマル状態」に移行する。
【００５９】
（カウント手段260）
カウント手段260は、所定の演出状態におけるゲーム数のカウントを行うものである。
具体的には、カウント手段260は、図１２を用いて後述するＡＲＴ通常状態におけるＡＴゲーム数、継続抽選状態における継続ゲーム数をカウントするためのゲーム数カウンタを有している。なお、ゲーム数カウンタには、ＡＴゲーム数をカウントするための「ＡＴゲーム数カウンタ」と継続ゲーム数をカウントするための「継続ゲーム数カウンタ」とを有する。
【００６０】
カウント手段260は、後述する移行抽選手段271が行うＡＴ抽選に当選した後、メイン制御手段200がＲＴ２状態へ移行すると、予め定められたＡＲＴ通常状態における初期ゲーム数（本実施の形態では５０ゲーム数）をＡＴゲーム数カウンタのカウント値として設定する。また、カウント手段260は、ＡＲＴ通常状態移行後、遊技が行われる毎に、ＡＴゲーム数カウンタのカウント値を１ずつ減算する。
そして、ＡＴゲーム数カウンタのカウント値が０、すなわち、ＡＴゲーム数が０ゲームになると、後述するＡＴ制御手段270により、ＡＲＴ通常状態から継続抽選状態に移行される。
【００６１】
ＡＲＴ通常状態から継続抽選状態に移行すると、カウント手段260は、予め定められた当該継続抽選状態における初期ゲーム数（本実施の形態では１０ゲーム数）を継続ゲーム数カウンタのカウント値として設定する。また、カウント手段260は、継続抽選状態移行後、遊技が行われる毎に、継続ゲーム数カウンタのカウント値を１ずつ減算する。
なお、カウント手段260がカウンタを記憶し、カウントを行う状態は上記のものに限られず、たとえば、後述するＡＲＴ前兆状態等においても予め定められた当該ＡＲＴ前兆状態における初期ゲーム数をＡＲＴ前兆状態のゲーム数に対応するカウント値としてゲーム数カウンタに記憶している。
なお、本実施の形態では、ＡＲＴ通常状態の区間をゲーム数で管理しているが、これに限定されず、メダルの払い出し枚数によりＡＲＴ通常状態の区間管理を行ってもよい。
【００６２】
（ＡＴ制御手段270）
ＡＴ制御手段270は、「ＡＴ状態」及び「ＡＲＴ状態」中の「ＡＴ」を制御するためのものである。そして、後述するＡＴ演出制御手段530を用いてストップスイッチ50の押し順を報知させる演出等を実行させる。
「ＡＴ状態」は、いわゆる「アシストタイム」が行われる演出状態であり、当該「ＡＴ状態」に移行すると、当選した小役の押し順が報知される遊技が開始され、報知された押し順に従ってストップスイッチ50を操作することで、当選した小役の図柄61の組み合わせを停止表示させることができる。このため、成立した小役に対応する所定枚数のメダルが払い出される。また、演出状態としての「ＡＴ状態」は、本実施の形態では、メイン制御手段200側で制御され、このとき、メイン制御手段200側のＲＴ制御手段254で制御される遊技状態としての「ＲＴ状態」（ＲＴ２）に移行すると、演出状態としての「ＡＲＴ」状態となる。「ＡＲＴ」状態は、「ＲＴ状態」（再遊技確率の高確率状態）で、且つ「ＡＴ状態」の演出状態をいう。
【００６３】
また、ＡＴ制御手段270は、継続抽選状態において後述するＡＴ継続抽選手段272が行うＡＴ継続抽選に当選せず、ＡＴ状態非継続が確定した場合に、ＡＴ状態を終了するように設定されている。
なお、ＡＴ状態の終了方法は、前記したものには限定されず、たとえば、報知された押し順に複数回従わずにストップスイッチ50を操作した場合や、特殊な役に当選した場合などにＡＴ状態を終了するようにしても良い。
【００６４】
ここで、本実施の形態においては、「ＡＴ状態」をメイン制御手段200側に配置したＡＴ制御手段270により制御したが、これに限定されず、「ＡＴ状態」の全部又は一部をサブ制御手段500で制御させても良い。
また、ＡＴ制御手段270は、図３に示すように、移行抽選手段271及びＡＴ継続抽選手段272を備えている。
【００６５】
（移行抽選手段271）
移行抽選手段271は、ＡＴ状態へ移行するか否かを抽選（ＡＴ抽選）で決定するものである。
【００６６】
（ＡＴ継続抽選手段272）
ＡＴ継続抽選手段272は、ＡＴゲーム数が０ゲームとなって後述する継続抽選状態へ移行した場合に、所定の契機にＡＴ状態が継続するか否かの抽選（以下、「ＡＴ継続抽選」ともいう。）を行うものである。そして、ＡＴ継続抽選に当選すると、当該継続抽選状態終了後においてＡＴ状態が継続するか否かのフラグ（以下、「ＡＴ状態継続フラグ」という）がＯＦＦからＯＮとなり、ＡＴ状態を継続することが確定する。
ここで、「ＡＴ継続抽選」は、ＡＴ状態を継続することの期待値が異なる「第１継続抽選」と「第２継続抽選」との２種類を有する。
【００６７】
ＡＴ継続抽選手段272により実行される第１継続抽選は、継続抽選状態移行時に、当該継続抽選状態における遊技進行結果、すなわちＡＴ状態が継続するか否かを決定するために行われる。また、第１継続抽選は、継続抽選状態移行後の遊技中において、ＡＴ状態継続フラグがＯＦＦであって、所定の役に当選しなかった場合にも行われる。
一方、ＡＴ継続抽選手段272により実行される第２継続抽選は、継続抽選状態移行後の遊技中において、ＡＴ状態継続フラグがＯＦＦであって、所定の役に当選し、かつ、ストップスイッチ50の特定の操作態様が行われた場合に行われる。
このとき、ＡＴ継続抽選手段272が行うＡＴ継続抽選における当選確率、すなわちＡＴ状態が継続する確率は、上記２種類の抽選のうち、第２継続抽選が第１継続抽選よりも高確率となるように設定されている。
【００６８】
そして、継続抽選状態移行後の遊技中に行われた第１継続抽選又は第２継続抽選に当選した場合は、後述する遊技状態書換手段280によりＡＴ状態継続フラグがＯＮに更新され、継続ゲーム数が０ゲームとなった後、ＡＴ制御手段270により、再度ＡＲＴ通常状態が開始される。なお、継続抽選状態移行後の遊技中に、第２継続抽選に当選した後、後述する遊技状態書換手段280によりＡＴ状態継続フラグがＯＦＦからＯＮに更新されることは、特許請求の範囲に記載されている「遊技進行結果の書き換え」に対応する。
【００６９】
（遊技状態書換手段280）
遊技状態書換手段280は、継続抽選状態中の所定の契機に、ストップスイッチ50の操作態様に応じて、予め取得された遊技進行結果の書き換えを行うか否かの判断及び実行を行うものである。
具体的には、遊技状態書換手段280は、継続抽選状態移行時に行われた第１継続抽選に当選せず、予め取得されたＡＴ状態継続フラグが「ＯＦＦ」であっても、当該継続抽選状態移行後の遊技中に行われた第１継続抽選又は第２継続抽選に当選した場合には、ＡＴ状態継続フラグを「ＯＮ」へと書き換えるものである。
また、遊技状態書換手段280は、ＡＴ継続抽選手段272が第２継続抽選を行うに際し、ストップスイッチ50が特定の操作態様で行われたか否かの判断を行っている。そして、ＡＴ状態継続フラグがＯＦＦの場合に、所定の役に当選し、かつ、ストップスイッチ50の特定の操作態様が行われたと遊技状態書換手段280により判断されると、ＡＴ継続抽選手段272によって第２継続抽選が行われる。
【００７０】
（特典付与手段290）
特典付与手段290は、遊技者にとって有利な特典の付与を行うか否かの判断及び実行を行うものである。
ここで、本実施の形態における特典とは、「ＡＴゲーム数の上乗せ」である。そして、この「ＡＴゲーム数の上乗せ」は後述する特典カウンタのカウント値に応じて付与され、特典カウンタのカウント値が「１」であれば、ＡＴゲーム数が「１０ゲーム」、「２」であれば、ＡＴゲーム数が「２０ゲーム」上乗せされることとなっている。なお、「特典」は前記のものに限られず、遊技者にとって有利となり得るものであればよい。たとえば、ＡＴゲーム数の上乗せに変え、又はこれに加えて、継続ゲーム数の上乗せ、継続抽選状態におけるＡＴ状態が継続する確率の向上、ＡＴ状態非継続の場合に復活抽選を行う又はＡＴ状態から通常状態へ移行後、再度ＡＴ状態へ移行する確率の向上などとしてもよい。
【００７１】
ここで、図３に示すように、本実施の形態に係る特典付与手段290は、第１特典付与手段291を備えている。そして、本実施の形態においては、この第１特典付与手段291により、ＡＴゲーム数の上乗せを行うか否かの判断及び実行を行っている。
第１特典付与手段291は、所定の契機に加算及び減算される特典カウンタを有している。そして、第１特典付与手段291は、所定の契機に、自ら累積的に記憶している特典カウンタのカウント値に基づいて、ＡＴゲーム数の上乗せを行う。
【００７２】
ここで、「特典カウンタ」は、本実施の形態においては、継続抽選状態において、役抽選にて所定の役、たとえば、チャンスリプレイに当選し、かつ、所定の操作態様でストップスイッチ50の停止操作が行われた場合に第１特典付与手段291により加算される。そして、その獲得した特典カウンタは、第１特典付与手段291により累積的に記憶されていく。一方、特典カウンタは、本実施の形態においては、継続抽選状態において特典カウンタを有した状態でＡＴ状態非継続が確定した場合に第１特典付与手段291によりリセットされる。なお、特典カウンタは、ＡＴ継続抽選手段272による第２継続抽選が行われた場合に減算してもよい。これらの第１特典付与手段291による特典カウンタの加算及び減算の契機の詳細については後述する。
【００７３】
なお、「特典カウンタ」は、継続抽選状態に加えてＡＲＴ通常状態においても、役抽選にて所定の役、たとえば、チャンスリプレイに当選し、かつ、所定の操作態様でストップスイッチ50の停止操作が行われた場合に第１特典付与手段291により加算することができる。この場合において、第１特典付与手段291が特典カウンタを有する状態で継続抽選状態に移行した場合には、以下の（１）〜（３）の処理が行われる。
（１）第１特典付与手段291は、当該貯蓄されていた特典カウンタのリセットを行う。
（２）第１特典付与手段291は、当該貯蓄されていた特典カウンタを繰り越し、移行後の継続抽選状態においてその特典カウンタを使用可能とする。すなわち、第１特典付与手段291は、ＡＲＴ通常状態で加算された特典カウンタに上乗せして、継続抽選状態で加算された特典カウンタの記憶を行う。
（３）第１特典付与手段291は、ＡＴ状態が継続した後のＡＲＴ通常状態まで当該貯蓄されていた特典カウンタの繰り越しを実行する。一方、ＡＴ状態非継続により通常状態へ移行した場合、第１特典付与手段291は、当該貯蓄されていた特典カウンタのリセット又はＡＴ抽選当選確率向上などといった他の特典の付与を実行する。
【００７４】
（送信手段300）
送信手段300は、サブ制御手段500へ信号を送信するためのものである。
【００７５】
（サブ制御手段500）
サブ制御手段500は、図３に示すように、受信手段510、通常演出制御手段520、ＡＴ演出制御手段530及びボーナス演出制御手段540の各手段を有する。各手段の詳細については後述する。なお、ＡＴ演出制御手段530は、サブ制御手段500ではなく、メイン制御手段200が有しても良い。
以上の構成をもって、サブ制御手段500は、メイン制御手段200からの信号を受けて、遊技の進行に伴う演出を行うものである。
具体的には、サブ制御手段500は、演出用ランプ78を駆動するためのＬＥＤ駆動回路（図示せず）に対してＬＥＤの点灯や消灯を規定するデータを出力したり、スピーカー72から音を出力するための音声出力回路（図示せず）に対して出力する音声を規定するデータを出力したり、表示装置84を駆動するための液晶制御基板（図示せず）に対して出力する映像データを規定するデータを出力したりする。
【００７６】
（受信手段510）
受信手段510は、送信手段300からの信号を受信するものである。
【００７７】
（通常演出制御手段520）
通常演出制御手段520は、遊技制御手段250及びＡＴ制御手段270の状態により、図１２に示す通常状態の演出を制御するものである。
ここで、通常状態とは、ＡＴ制御手段270によるＡＴ状態、ボーナス遊技制御手段256によるボーナス状態以外の状態をいう。
【００７８】
（ＡＴ演出制御手段530）
ＡＴ演出制御手段530は、遊技制御手段250及びＡＴ制御手段270の状態により、所定の遊技区間の間、通常状態より遊技者にとって有利となり得るＡＴの演出を制御、たとえば、メイン制御手段200のＡＴ制御手段270からストップスイッチ50の押し順を報知させるコマンドを受信した場合に当該ストップスイッチ50の押し順を報知させる演出等、を実行するものである。
【００７９】
（ボーナス演出制御手段540）
ボーナス演出制御手段540は、遊技制御手段250及びＡＴ制御手段270の状態により、図１２に示すボーナス状態（通常ボーナス状態及び特殊ボーナス状態）の演出を制御するものである。
【００８０】
（役の図柄61組み合わせについて）
つぎに、図５乃至図１０を用いて、役抽選手段210により抽選される役について説明する。
なお、役抽選手段210により抽選される役は図５乃至図１０に示すものに限定されない。
【００８１】
図５に示すように、ボーナス移行役として、第１ＢＢ乃至第４ＢＢのＢＢ役と、第１ＲＢと第２ＲＢとのＲＢ役があり、ＢＢ役の第１ＢＢの場合は、その図柄61組合せが、左回転リール64、中回転リール66、右回転リール68の順（以下同様）に「Ｒ７、Ｒ７、Ｒ７」であり、配当（メダル払出枚数）は０枚となっている。また、ＲＢ役の第１ＲＢの場合は、その図柄61組み合わせが「Ｒ７、Ｒ７、ＢＲ」であり、配当（メダル払出枚数）は０枚となっている。
【００８２】
図６に示すように、再遊技役（リプレイ）として、第１通常リプレイ乃至第１２通常リプレイの通常リプレイ、第１昇格リプレイ乃至第２４昇格リプレイの昇格リプレイ、第１転落リプレイ乃至第１６転落リプレイの転落リプレイ、第１チャンスリプレイ乃至第８チャンスリプレイのチャンスリプレイがあり、その図柄61組み合わせが、第１通常リプレイ「Ｒ１、Ｒ１、Ｒ１」、第１昇格リプレイ「Ｒ１、Ｒ１、Ｂ１」、第１転落リプレイ「Ｒ１、Ｒ１、Ｒ７」、第１チャンスリプレイ「Ｂ１、ＢＬ、ＷＭ」などであり、配当（メダル払出枚数）は、無し（但し次の遊技がメダル投入無しで遊技開始可能）となっている。
【００８３】
図７に示すように、小役（チェリー）として、第１弱チェリー乃至第３弱チェリーの弱チェリー、第１強チェリー乃至第１６強チェリーの強チェリーがあり、その図柄61組み合わせが、第１弱チェリー「ＢＲ、Ｃ１、Ｃ１」、第１強チェリー「ＢＲ、Ｃ１、Ｒ１」などであり、配当（メダル払出枚数）は、１枚となっている。
図８に示すように、小役（スイカ役）として、第１スイカ乃至第５スイカがあり、その図柄61組み合わせが、第１スイカ「ＷＭ、ＷＭ、ＷＭ」などであり、配当は４枚となっている。
【００８４】
図９に示すように、小役（ベル役）として、第１押し順ベルＡ乃至第２押し順ベルＡの押し順ベルＡ（ＬＣＲ正解ベル）、第１押し順ベルＢ乃至第４押し順ベルＢの押し順ベルＢ（ＬＲＣ正解ベル）、第１押し順ベルＣ乃至第４押し順ベルＣの押し順ベルＣ（ＣＬＲ正解ベル）や、第１押し順ベルＤの押し順ベルＤ（ＣＲＬ正解ベル）、第１押し順ベルＥ乃至第２押し順ベルＥの押し順ベルＥ（ＲＬＣ正解ベル）、第１押し順ベルＦ乃至第４押し順ベルＦの押し順ベルＦ（ＲＣＬ正解ベル）などがあり、その図柄61組み合わせが、第１押し順ベルＡ「Ｒ１、Ｃ１、ＷＭ」、第１押し順ベルＢ「Ｒ１、Ｂ１、Ｒ１」などであり、配当は、９枚となっている。
ここで、ＬＣＲ正解ベル、ＬＲＣ正解ベル、ＣＬＲ正解ベル、ＣＲＬ正解ベル、ＲＬＣ正解ベル、ＲＣＬ正解ベルは、３個のストップスイッチ50のうち、左ストップスイッチＬ、中ストップスイッチＣ、右ストップスイッチＲが、名称の順番、たとえば、ＬＣＲ正解ベルの場合は、左ストップスイッチＬ、中ストップスイッチＣ、右ストップスイッチＲの順番に操作された場合に入賞となる役である。なお、他の押し順でストップスイッチ50が操作された場合は、ハズレか押し順ベル、転落リプレイに入賞となる。
【００８５】
図１０に示すように、役抽選の結果として、通常リプレイ（第１通常リプレイ乃至第１２通常リプレイ）、昇格リプレイ（第１昇格リプレイ乃至第２４昇格リプレイ）が同時に当選（重複して当選）するＲＰ１や、通常リプレイ（第１通常リプレイ乃至第１２通常リプレイ）、昇格リプレイ（第１昇格リプレイ乃至第２４昇格リプレイ）、第１チャンスリプレイが同時に当選するＲＰ２、通常リプレイ（第１通常リプレイ乃至第１２通常リプレイ）、第１チャンスリプレイが同時に当選するＣＲＰ１、通常リプレイ（第１通常リプレイ乃至第１２通常リプレイ）、第２チャンスリプレイが同時に当選するＣＲＰ２などが設けられており、押し順ベルＡ〜Ｆと同様、ストップスイッチ50の押し順で停止する図柄61が異なる。
なお、第１チャンスリプイレイ乃至第８チャンスリプレイは、他のリプレイと重複して当選する役のみで、右第一停止で入賞可能な役である。
【００８６】
（図１１を用いた遊技状態の説明）
つぎに、図１１を用いて「遊技状態」について説明する。
「遊技状態」は、メイン制御手段200により管理され、図１１に示すように、大別すると、「一般遊技状態」と、「内部当選中状態」（ＲＴ３）と、「ボーナス遊技状態」とがある。「ＲＴ」は、いわゆる「リプレイタイム」の略語であり、「ＲＴ」に移行すると、再遊技役に当選する抽選確率、すなわち再遊技確率が高くなる。「ＲＴ」は、「ＲＴ１」〜「ＲＴ３」の３種類があり、「ＲＴ２」が最も高確率で、残る「ＲＴ１」と「ＲＴ３」とは、「ＲＴ２」より再遊技確率が低く、ほぼ等しく設定されている。
【００８７】
（一般遊技状態）
「一般遊技状態」は、一般遊技制御手段251により制御され、「ノーマル状態」（非ＲＴ）と、「一般状態」（ＲＴ１）と、「ＲＴ状態」（ＲＴ２）とがある。ここで、「ＲＴ」は、いわゆる「リプレイタイム」の略語であり、「ＲＴ」に移行すると、再遊技役に当選する抽選確率、すなわち再遊技確率が高くなる。
【００８８】
（ノーマル状態）
「ノーマル状態」は、ノーマル状態制御手段252により管理され、「ボーナス遊技状態」の終了後に移行する。
【００８９】
（一般状態）
「一般状態」は、一般状態制御手段253により管理され、いわゆる「ＲＴ１移行図柄」の成立時に「ノーマル状態」から移行する。
すなわち、図１１の「ノーマル状態」の場合には、図１２の「ＡＴ状態」になることはないため、「押し順ベル」に当選しても、押し順が報知されず、「押し順ベル」が入賞せず、ベルこぼし目（転落リプレイ：ＲＴ１図柄）が停止表示され、「一般状態」に移行する。
なお、「ボーナス遊技状態」から、「ノーマル状態」に移行した場合は、「押し順ベル」に当選した場合も、一時的或いは意図的に押し順が報知されず、「押し順ベル」が入賞せず、ベルこぼし目（転落リプレイ：ＲＴ１図柄）が停止表示され、「一般状態」に移行する。
【００９０】
（ＲＴ状態）
「ＲＴ状態」は、ＲＴ制御手段254により管理され、いわゆる「ＲＴ２移行図柄」の成立時に移行し、再遊技確率の高確率状態である。
すなわち、図１１の「ＲＴ状態」の場合には、図１２の「ＡＴ状態」になっているため、押し順が報知されるが、ＡＴの終了条件（本実施の形態では、ＡＴ継続抽選に当選しない場合）が成立すると非ＡＴになる。そのため、「押し順ベル」などに当選しても、押し順が報知されず、「押し順ベル」が入賞せず、ベルこぼし目（転落リプレイ：ＲＴ１図柄）が停止表示され、「一般状態」に移行する。
【００９１】
（内部当選中状態）
「内部当選中状態」は、内部当選中状態制御手段255により管理され、「ノーマル状態」「一般状態」及び「ＲＴ状態」中に、ボーナス移行役に当選すると移行する。
【００９２】
（ボーナス遊技状態）
「ボーナス遊技状態」は、ボーナス遊技制御手段256により管理され、「内部当選中状態」中に「ボーナス図柄」を揃えることで移行する。
「ボーナス遊技状態」には、「ＲＢＢ１」と、「ＲＢＢ２」とがある。ここで、「ＲＢＢ１」はいわゆる「ＢＢ」が連続作動し、所定の枚数、たとえば２０４枚を超えるメダルの払い出しで終了する。また、「ＲＢＢ２」はいわゆる「ＲＢ」が連続作動し、所定の枚数、たとえば４８枚を超えるメダルの払い出しで終了する。
【００９３】
（図１２を用いた演出状態の説明）
図１２に示すように、演出状態は、「通常状態」と、「ＡＴ状態」、「ＡＲＴ状態」、「通常ボーナス状態」、「特殊ボーナス状態」とがある。
【００９４】
（通常状態）
「通常状態」の演出状態としては、「通常一般状態」、「ＡＲＴ前兆状態」とがある。
（通常一般状態）
「通常一般状態」は、「通常状態」のうち、後述する「ＡＲＴ前兆状態」等の特殊な状態を除いた状態である。
「通常一般状態」では、移行抽選手段271による「ＡＴ状態」へのＡＴ抽選等が行われている。
【００９５】
（ＡＲＴ前兆状態）
「ＡＲＴ前兆状態」は、「通常状態」より遊技者にとって有利となり得る「ＡＴ状態」への移行の「前兆」となる遊技が実行される状態であり、大別すると、「ＡＴ状態」への移行が確定しているいわゆる「本前兆」と、未確定で「通常状態」に戻る可能性のあるいわゆる「ガセ前兆」との２種類がある。「ガセ前兆」の場合には所定ゲーム数を消化した後、「通常状態」へ戻る。「本前兆」の場合には、予め定められたゲーム数を消化すると、「ＡＴ状態」に移行する。
【００９６】
（ＡＴ状態）
「ＡＴ状態」は、「通常状態」より遊技者にとって有利となり得る状態である。当該「ＡＴ状態」に移行すると、当選した小役の押し順が報知される遊技（ＡＴ）が開始され、報知された押し順に従ってストップスイッチ50を操作することで、当選した小役の図柄61の組み合わせを停止表示させることができる。このため、成立した小役に対応する所定枚数のメダルが払い出される。
「ＡＴ状態」の演出状態としては、「ＡＲＴ準備状態」と、「ＡＲＴ状態」とがある。
「ＡＲＴ準備状態」は、遊技状態が、図１１の一般状態（ＲＴ１）である場合の「ＡＴ状態」であり、ＲＴ状態（ＲＴ２）への移行図柄、たとえば「昇格リプレイ」に当選した場合には、当該「昇格リプレイ」に対応したストップスイッチ50の押し順が報知される。そして、当該報知に従ってストップスイッチ50が操作された場合には、「ＡＲＴ状態」に移行する。
【００９７】
（ＡＲＴ状態）
「ＡＲＴ状態」の演出状態としては、「ＡＲＴ通常状態」、「継続抽選状態」とがある。
「ＡＲＴ状態」は、「通常状態」より遊技者にとって有利となり得る状態である。当該「ＡＲＴ状態」に移行すると、当選した小役の押し順が報知される遊技であるＡＴと、ＲＴ２とが開始され、報知された押し順に従ってストップスイッチ50を操作することで、当選した小役の図柄61の組み合わせを停止表示させることができる。このため、成立した小役に対応する所定枚数のメダルが払い出される。
【００９８】
「ＡＲＴ状態」は、本実施の形態では、ＡＴゲーム数が０ゲームとなることでＡＲＴ通常状態から継続抽選状態へ移行し、その後、継続抽選状態においてＡＴ状態非継続が確定した場合に「通常状態」へ戻る。
具体的には、ＡＴ継続抽選手段272によるＡＴ継続抽選に当選しなかった場合は、ＡＲＴ（ＡＴ＋ＲＴ）のうち、ＡＴが終了するため、演出状態が「通常状態」へ戻り、ストップスイッチ50の押し順の報知が終了され、これに伴い、ベルこぼし目（転落リプレイ：ＲＴ１図柄）を表示した場合に、遊技状態が「一般遊技状態」へ戻る。すなわち、ベルこぼし目（転落リプレイ：ＲＴ１図柄）は、左第１停止が不正解のベル役（たとえばＣＬＲ正解ベル）に当選し、押し順「不正解」（ストップスイッチ50を左第１停止で操作）した際に停止表示される図柄61である。ＡＴが終了しているため押し順の報知が行われず、遊技者はストップスイッチ50を左第１停止で操作するため、ベル役に当選してもベルこぼし目（転落リプレイ：ＲＴ１図柄）が停止表示され、遊技状態が「一般遊技状態」に移行する。
なお、ＡＲＴ状態中に、遊技者が操作を間違い、ＲＴ１図柄が停止表示された場合、遊技状態は一般遊技状態に移行するが、演出状態は継続する。そして、ＲＴ２図柄を停止表示させられる役に当選した際に、ＲＴ２図柄を停止表示させるための押し順を報知し、遊技状態をＲＴ状態に移行させる。
【００９９】
（ＡＲＴ通常状態）
「ＡＲＴ通常状態」は、「ＡＲＴ状態」のうち、後述する「継続抽選状態」等の特殊な状態を除いた状態である。
「ＡＲＴ通常状態」は、カウント手段260により、ＡＲＴ通常状態におけるＡＴゲーム数が０ゲームであると判定された場合に終了し、「継続抽選状態」に移行する。
なお、ＡＲＴ通常状態の終了は、上述した終了契機に限定されず、メダルの払い出し枚数によりＡＲＴ通常状態の区間管理を行ってもよいし、報知された押し順に複数回従わずにストップスイッチ50を操作した場合や、特殊な役に当選した場合などであっても良い。
【０１００】
（継続抽選状態）
「継続抽選状態」は、ＡＴ継続抽選手段272によるＡＴ状態を継続するか否かの抽選（ＡＴ継続抽選）を行う状態であり、ＡＴ継続抽選に当選した場合は、継続抽選状態終了後、「ＡＲＴ通常状態」へ戻り、ＡＴ継続抽選に当選しなかった場合は、「通常状態」へ戻る。
なお、「継続抽選状態」を備えず、「ＡＲＴ通常状態」の最後の遊技でＡＴ継続抽選手段272によるＡＴ状態を継続するか否かの抽選を行うようにしても良い。
【０１０１】
ここで、本実施の形態における継続抽選状態とは、いわゆる「バトルゾーン」であって、遊技者が扱うキャラクターと、そのキャラクターと対戦する敵キャラクターとが戦い、遊技者が扱うキャラクターが勝利した場合にＡＴ状態の継続が確定する、といったＡＴ状態の継続を示唆する演出が行われる演出状態である。本実施の形態においては、ＡＴ継続抽選に当選することで遊技者が扱うキャラクターが敵キャラクターに勝利することとなっている。
そして、このバトルゾーンでは、遊技者が扱うキャラクターと敵キャラクターとが複数登場し、それらのキャラクターの対戦カードに応じて、ＡＴ状態が継続するか否かを示唆する演出が行われる。
【０１０２】
具体的には、本実施の形態においては、遊技者が扱うキャラクターとして、キャラクターＡ、キャラクターＢ及びキャラクターＣが登場し、敵キャラクターとして、キャラクターＸ、キャラクターＹ及びキャラクターＺが登場する。
上記の９通りの対戦カードのうち、（１）キャラクターＡ対キャラクターＸ、（２）キャラクターＢ対キャラクターＹ、（３）キャラクターＣ対キャラクターＺ、となったときには、遊技者が扱うキャラクターが勝利する期待度が高い（勝利する可能性大）演出となっている。
また、上記の９通りの対戦カードのうち、（１）キャラクターＡ対キャラクターＹ、（２）キャラクターＢ対キャラクターＺ、（３）キャラクターＣ対キャラクターＸ、となったときには、遊技者が扱うキャラクターが勝利する期待度が中程度の演出となっている。
そして、上記の９通りの対戦カードのうち、（１）キャラクターＡ対キャラクターＺ、（２）キャラクターＢ対キャラクターＸ、（３）キャラクターＣ対キャラクターＹ、となったときには、遊技者が扱うキャラクターが勝利する期待度が低い（勝利する可能性小）演出となっている。
【０１０３】
また、このバトルゾーンでは、遊技者が扱うキャラクターと敵キャラクターとの攻防の進行状況により、ＡＴ状態が継続するか否かを示唆する演出も行われる。
また、このバトルは、１対１でもよいし、２対２のタッグバトルでもよいし、複数のキャラクターが一斉に戦うバトルロワイヤル形式であってもよい。なお、当該継続抽選状態において、所定の役に当選した場合、継続抽選結果が変化した場合などを契機として、他のキャラクターを乱入可能とすることで対戦形式を変化、すなわち、上記の９通りの対戦カードを変化させたりしてもよい。
また、継続抽選状態は、ＡＴ状態の継続を示唆する演出が行われる演出状態であればよく、上記のバトルには限られない。たとえば、継続抽選状態とは、遊技者が扱うキャラクターが制限時間内にダンジョン（迷路）からの脱出を目指す「脱出ゾーン」などであってもよい。この「脱出ゾーン」では、キャラクターが制限時間内にダンジョン（迷路）からの脱出できた場合にＡＴ状態の継続が確定する、といったＡＴ状態の継続を示唆する演出が行われる演出状態であり、継続抽選状態の残りゲーム数と迷路の進行状況からＡＴ状態の継続を遊技者が判断可能となっている。なお、所定役に当選した場合、継続抽選結果が変化した場合などを契機として、進行状況を変化させたりしてもよい。
【０１０４】
この場合においては、ＡＴ継続抽選に当選することでキャラクターが制限時間（例えば、１０ゲーム）内にダンジョン（迷路）から脱出することが可能となっている。なお、上記の「バトルゾーン」と「脱出ゾーン」とを組み合わせて、複数回ＡＴ継続抽選に当選することをＡＴ状態が継続する条件としてもよい。たとえば、遊技者が扱うキャラクターを制限時間内にダンジョン（迷路）から脱出させ、かつ、ダンジョン（迷路）の出口で待ち受ける敵キャラクターに勝利することでＡＴ状態の継続が確定する等としてもよい。
以上より、「継続抽選状態」では、遊技者は、当該継続抽選状態の演出（遊技進行結果）を確認しながら、第２継続抽選を行うのか、特典を獲得するのかを選択することができる。
つまり、演出が不利（ＡＴ状態継続の期待度小）である場合は、第２継続抽選を選択し、有利（ＡＴ状態継続の期待度大）である場合は、特典付与を選択するというように、現在行われている演出から今後の遊技進行結果を判断して選択を行うといった駆け引きが遊技性に入り込むことが可能となる。
【０１０５】
（通常ボーナス状態）
「通常ボーナス状態」は、「通常状態」中に図１１に示す「ボーナス遊技状態」への移行抽選（ボーナス移行役：図５のＢＢ役、ＲＢ役）に当選し、当該「ボーナス遊技状態」へ移行した場合の演出状態である。移行した「ボーナス遊技状態」が「ＲＢＢ１」の場合（ＢＢ役当選）は「通常ＢＢ状態」、「ＲＢＢ２」の場合（ＲＢ役当選）は「通常ＲＢ状態」に移行する。
「通常ボーナス状態」は、「ＲＢＢ１」と「ＲＢＢ２」とが、所定の枚数の払出で終了することにより、「通常状態」に戻る。
【０１０６】
（特殊ボーナス状態）
「特殊ボーナス状態」は、「ＡＴ状態」、「ＡＲＴ状態」中に図１１に示す「ボーナス遊技状態」への移行抽選（ボーナス移行役：図５のＢＢ役、ＲＢ役）に当選し、当該「ボーナス遊技状態」へ移行した場合の演出状態である。移行した「ボーナス遊技状態」が「ＲＢＢ１」の場合（ＢＢ役当選）は「特殊ＢＢ状態」、「ＲＢＢ２」の場合（ＲＢ役当選）は「特殊ＲＢ状態」に移行する。
「特殊ボーナス状態」に移行した場合は、「ＡＴ状態」、「ＡＲＴ状態」は中断し、「ＲＢＢ１」と「ＲＢＢ２」とが、所定の枚数の払出で終了することにより、「ＡＴ状態」、「ＡＲＴ状態」に戻る。
【０１０７】
（図１３を用いた遊技の基本的な流れの説明）
図１３に示すフローチャートに基づいて、メイン制御手段200が１回の遊技毎に実行する一般的な遊技制御処理について説明する。
ステップS10において、メイン制御手段200により、スタートスイッチ40の操作があったか否かの判定が行われる。ここで、スタートスイッチ40の操作があったと判定されると、メイン制御手段200により、賭け数の設定が不可能な状態とされる。その後、次のステップS11に進む。一方、スタートスイッチ40の操作がないと判定されると、再度ステップS10となる。
【０１０８】
なお、このステップS10の前提として、賭け数設定処理が行われている。この賭け数設定処理では、賭け数として規定の賭け数が設定されたか否かが判定されるものである。具体的には、メイン制御手段200により、当該遊技の賭け数として設定されているメダルの枚数が規定の賭け数（３枚）に達しているか否かの判定が行われる。
ステップS11において、役抽選手段210により、役抽選処理が行われる。また、このとき、役抽選の結果がメイン制御手段200からサブ制御手段500へ送信される。役抽選処理が終了すると、次のステップS12に進む。
ステップS12において、リールユニット60における回転リール62の回転変動処理が行われる。回転リール62が所定の回転速度に達した後、メイン制御手段200により、回転中の回転リール62に対応するストップスイッチ50の操作があった場合に、リール制御手段220により、各回転リール62の回転が停止させられる。このときのストップスイッチ50（左ストップスイッチＬ、中ストップスイッチＣ、右ストップスイッチＲ）の当選役に対応する押し順は、メイン制御手段200に形成された所定の記憶領域に記憶されると共に、その後の処理にて読み出される。
また、すべての停止操作終了後、メイン制御手段200の送信手段300からサブ制御手段500の受信手段510へ全回転リール62の回転停止情報が送信される。そして、すべての回転リール62の回転変動処理が終了すると、次のステップS13に進む。
【０１０９】
ステップS13において、停止図柄判定手段230により、有効ライン86上の図柄61の組合せに対して所定の役の図柄61の組合せが揃っているか否かの入賞等の判定処理が行われる。ここで、入賞等の判定処理の判定結果のデータは、メイン制御手段200からサブ制御手段500へ送信される。そして、判定処理が終わると、次のステップS14に進む。
ステップS14において、払出制御手段240により、停止図柄判定手段230の判定結果に対応した払出処理等が行われる。なお、判定結果、払出が不要な場合には、払出処理は行われない。そして、当該処理が終了する。
【０１１０】
（図１４を用いたＡＲＴ通常状態の基本的な流れの説明）
図１４に示すフローチャートに基づいて、ＡＲＴ通常状態中の遊技で実行する処理について説明する。
ステップS20において、スタートスイッチ40の操作が行われた後、役抽選手段210により、役抽選が行われる。また、このとき、役抽選の結果がメイン制御手段200からサブ制御手段500へ送信される。その後、次のステップS21に進む。
【０１１１】
ステップS21において、カウント手段260により、ＡＲＴ通常状態におけるＡＴゲーム数カウンタの更新が行われる。具体的には、ＡＲＴ通常状態移行時に設定されたＡＴゲーム数から、遊技が行われる毎に、カウント手段260のＡＴゲーム数カウンタのカウント値が１ずつ減算される。その後、次のステップS22に進む。
ステップS22において、カウント手段260により、ＡＲＴ通常状態におけるＡＴゲーム数が０ゲームより大きいか否かが判定される。ここで、カウント手段260により、ＡＴゲーム数が０ゲームより大きいと判定されると、再度ステップS20に戻る。一方、カウント手段260により、ＡＴゲーム数が０ゲームであると判定されると、結果がメイン制御手段200からサブ制御手段500へ送信され、継続抽選状態へ移行して当該処理を終了する。
【０１１２】
（図１５及び図１６を用いた継続抽選状態の基本的な流れの説明）
図１５及び図１６に示すフローチャートに基づいて、継続抽選状態の遊技で実行する処理について説明する。
図１５に示すように、ステップS30において、継続抽選状態移行時に予め定められた当該継続抽選状態におけるゲーム数（本実施の形態では１０ゲーム）が固定値として付与され、カウント手段260により当該固定値が継続ゲーム数カウンタのカウント値として設定される。その後、次のステップS31に進む。
ステップS31において、ＡＴ継続抽選手段272により、第１継続抽選が行われる。その後、次のステップS32に進む。
【０１１３】
ステップS32において、ＡＴ制御手段270により、ステップS31で行われた第1継続抽選結果に基づいて、当該継続抽選状態におけるＡＴ状態継続フラグの設定が行われる。すなわち、第１継続抽選に当選していた場合には、ＡＴ状態継続フラグがＯＮに設定される。一方、第１継続抽選に非当選の場合には、ＡＴ状態継続フラグがＯＦＦに設定される。その後、次のステップS33に進む。
ステップS33において、スタートスイッチ40の操作が行われた後、役抽選手段210により、役抽選が行われる。また、このとき、役抽選の結果がメイン制御手段200からサブ制御手段500へ送信される。その後、次のステップS34に進む。
【０１１４】
ステップS34において、ＡＴ制御手段270により、当該継続抽選状態におけるＡＴ状態継続フラグがＯＮであるか否かが判定される。ここで、ＡＴ制御手段270により、ＡＴ状態継続フラグがＯＮであると判定されると、ステップS41に進む。一方、ＡＴ制御手段270により、ＡＴ状態継続フラグがＯＮでない判定されると、次のステップS35に進む。
ステップS35において、ステップS33において行われた役抽選手段210による役抽選にて、チャンスリプレイに当選したか否かが判定される。ここで、役抽選手段210により、チャンスリプレイに当選したと判定されると、次のステップS36に進む。一方、役抽選手段210により、チャンスリプレイに当選していないと判定された場合には、ステップS39に進む。
なお、チャンスリプレイに当選した場合、遊技者が当選したことを認識できるよう報知する。
【０１１５】
ステップS36において、遊技状態書換手段280により、遊技者がストップスイッチ50の停止操作を第1操作態様で行ったか否かが判定される。ここで、遊技状態書換手段280により、遊技者がストップスイッチ50の停止操作を第1操作態様で行ったと判定されると、ステップS38に進む。一方、遊技状態書換手段280により、遊技者がストップスイッチ50の停止操作を第1操作態様で行っていないと判定された場合には、次のステップS37に進む。ここで、本実施の形態においては、「第1操作態様」とは、「右第１停止」でストップスイッチ50の停止操作を開始することを意味する。
【０１１６】
ステップS37において、第１特典付与手段291により特典カウンタが１つ加算され、当該加算された特典カウンタが第１特典付与手段291により記憶される。その後、ステップS39に進む。
ステップS38において、ＡＴ継続抽選手段272により、第２継続抽選が行われる。その後、ステップS40に進む。
ステップS39において、ＡＴ継続抽選手段272により、第１継続抽選が行われる。その後、次のステップS40に進む。
なお、「チャンスリプレイ」は、「右第一停止」でストップスイッチ50を操作した場合のみ入賞可能であり、かつ「チャンスリプレイ」は、ストップスイッチ50の操作タイミングによっては入賞させることができないものとし、入賞した場合のみ第２継続抽選が行われるようにしてもよい。また、チャンスリプレイが入賞しない場合は第２継続抽選を行い、入賞した場合は、ＡＴ状態継続フラグをＯＮにするようにしてもよい。
【０１１７】
図１６に示すように、ステップS40において、ステップS38又はステップS39において行われたＡＴ継続抽選結果に基づいて、遊技状態書換手段280により、当該継続抽選状態におけるＡＴ状態継続フラグの更新が行われる。すなわち、第１継続抽選又は第２継続抽選に当選した場合には、遊技状態書換手段280により、ＡＴ状態継続フラグがＯＦＦからＯＮへ更新される。その後、ステップS44に進む。なお、言うまでもないが、第１継続抽選又は第２継続抽選に非当選の場合には、ＡＴ状態継続フラグは更新されず、ＯＦＦのままである。
ステップS41において、ステップS33において行われた役抽選手段210による役抽選にて、チャンスリプレイに当選したか否かが判定される。ここで、役抽選手段210により、チャンスリプレイに当選したと判定されると、次のステップS42に進む。一方、役抽選手段210により、チャンスリプレイに当選していないと判定された場合には、ステップS44に進む。
なお、チャンスリプレイに当選した場合、遊技者が当選したことを認識できるよう報知する。
【０１１８】
ステップS42において、第１特典付与手段291により、遊技者がストップスイッチ50の停止操作を第２操作態様で行ったか否かが判定される。ここで、第１特典付与手段291により、遊技者がストップスイッチ50の停止操作を第２操作態様で行ったと判定されると、次のステップS43に進む。一方、第１特典付与手段291により、遊技者がストップスイッチ50の停止操作を第２操作態様で行っていないと判定された場合には、ステップS44に進む。
このとき、「第２操作態様」とは、本実施の形態においては「左第１停止」でストップスイッチ50の停止操作を開始することを意味する。
なお、「第1操作態様」と、「第２操作態様」とを異なる態様にしてもよい。すなわち、「第1操作態様」を「左第１停止」として、「第２操作態様」を「右第１停止」としてもよい。
また、役抽選にてチャンスリプレイに当選した場合において、「中第１停止」として遊技者がストップスイッチ50の停止操作を行った場合には、ＡＴ制御手段270により、次回の選択肢における「第1操作態様」及び「第２操作態様」を決定（たとえば、次回は「第1操作態様」が「左第１停止」となり、「第２操作態様」が「右第１停止」となる）するための抽選が行われる。
【０１１９】
ステップS43において、第１特典付与手段291により特典カウンタが１つ加算され、当該加算された特典カウンタが第１特典付与手段291により記憶される。その後、次のステップS44に進む。
ステップS44において、カウント手段260により、継続抽選状態移行時に設定された継続ゲーム数から、カウント手段260の継続ゲーム数カウンタのカウント値が１ずつ減算される。その後、次のステップS45に進む。
ステップS45において、カウント手段260により、継続抽選状態における継続ゲーム数が０ゲームより大きいか否かが判定される。ここで、カウント手段260により、継続ゲーム数が０ゲームより大きくないと判定されると、次のステップS46に進む。一方、カウント手段260により、継続ゲーム数が０ゲームより大きいと判定されると、再度ステップS33に戻る。
【０１２０】
ステップS46において、ＡＴ制御手段270により、ＡＴ状態を継続することが確定したか否かの判定が行われる。ここで、ＡＴ制御手段270により、ＡＴ状態を継続することが確定したと判定されると、ステップS48に進む。一方、ＡＴ制御手段270により、ＡＴ状態を継続することが確定していないと判定されると、次のステップS47に進む。
ステップS47において、第１特典付与手段291により、累積的に記憶している特典カウンタのカウント値のリセットを実行する。すなわち、第１特典付与手段291は、継続抽選状態においてＡＴ状態非継続が確定した場合には、当該継続抽選状態で獲得したＡＴゲーム数の上乗せのリセットを行う。その後、通常状態へ移行して当該処理を終了する。
ステップS48において、第１特典付与手段291により、累積的に記憶している特典カウンタのカウント値に基づいて、次回のＡＲＴ通常状態において付与されるＡＴゲーム数の上乗せゲーム数が設定される。その後、ＡＲＴ通常状態へ移行して当該処理を終了する。
【０１２１】
（第２の実施形態）
以下、図１７、図１８及び図１９を用いて、本実施の形態に係る第２の実施形態を説明する。この第２の実施形態は、継続抽選状態においてＡＴ状態の非継続が確定した場合には、特典カウンタがリセットされる第１の実施形態と異なり、特典カウンタのカウント値に応じた復活抽選が実行されることを特徴とする。そして、第１の実施形態と重複する部分は説明を省略し、第２の実施形態における特徴点を中心に説明する。
【０１２２】
（特典付与手段290）
特典付与手段290は、遊技者にとって有利な特典の付与を行うか否かの判断及び実行を行うものである。
ここで、本実施の形態における特典とは、「ＡＴゲーム数の上乗せ」及び「復活抽選の実行」である。そして、この復活抽選は特典カウンタのカウント値に応じて実行される。具体的には、特典カウンタのカウント値が「１〜３」であれば、復活抽選の当選確率が「低」、「４〜６」であれば、復活抽選の当選確率が「中」、「７〜９」であれば、復活抽選の当選確率が「高」、「１０以上」であれば、復活抽選の当選が「確定」となっている。なお、特典カウンタのカウント値の多少で復活抽選の当選確率を変動させずに、特典カウンタのカウント値の数だけ復活抽選を行ってもよい。
【０１２３】
図１７に示すように、本実施の形態に係る特典付与手段290は、第１特典付与手段291と第２特典付与手段292とを備えている。そして、本実施の形態においては、第１特典付与手段291によりＡＴゲーム数の上乗せを行うか否かの判断及び実行が行われ、一方、第２特典付与手段292により特典としての復活抽選が実行される。
また、特典付与手段290は、所定の契機に加算及び減算される特典カウンタを有している。そして、第１特典付与手段291は、所定の契機に、累積的に記憶している特典カウンタのカウント値に基づいて、ＡＴゲーム数の上乗せを行う。また、第２特典付与手段292は、所定の契機に、累積的に記憶している特典カウンタのカウント値に基づいて、復活抽選を実行する。この第２特典付与手段292が実行する復活抽選の契機の詳細については後述する。
【０１２４】
（図１８及び図１９に示した継続抽選状態の基本的な流れの説明）
以下、図１８及び図１９に示すフローチャートに基づいて、第２の実施形態に係る継続抽選状態の遊技で実行する処理について説明する。なお、第１の実施形態と重複する部分は説明を省略し、第２の実施形態における特徴点を中心に説明する。
図１８におけるステップS50〜S59の処理は、図１５におけるステップS30〜S39の処理と同様であり、図１９におけるステップS60〜S66の処理は、図１６におけるステップS40〜S46の処理と同様であることから説明を省略する。
【０１２５】
図１９に示すように、ステップS67において、第２特典付与手段292により、特典カウンタが０より大きいか否かが判定される。ここで、第２特典付与手段292により、特典カウンタが０より大きいと判定されると、次のステップS68に進む。一方、第２特典付与手段292により、特典カウンタが０より大きくないと判定されると、通常状態へ移行して当該処理を終了する。
ステップS68において、第２特典付与手段292により、復活抽選が実行される。その後、ステップS69に進む。
ステップS69において、第２特典付与手段292により、ステップS68において実行された復活抽選に当選したか否かが判定される。ここで、第２特典付与手段292により、復活抽選に当選したと判定されると、ＡＲＴ通常状態へ移行して当該処理を終了する。一方、第２特典付与手段292により、復活抽選に当選していないと判定された場合には、通常状態へ移行して当該処理を終了する。
ステップS70において、第１特典付与手段291により、累積的に記憶している特典カウンタのカウント値に基づいて、次回のＡＲＴ通常状態において付与されるＡＴゲーム数の上乗せゲーム数が設定される。その後、ＡＲＴ通常状態へ移行して当該処理を終了する。
【０１２６】
（第３の実施形態）
以下、図１７、図２０、図２１及び図２２を用いて、本実施の形態に係る第３の実施形態を説明する。この第３の実施形態は、継続抽選状態においてＡＴ状態の非継続が確定した場合には、特典カウンタがリセットされる第１の実施形態と異なり、特典カウンタのカウント値に応じて、通常状態移行後に後述するチャンスゾーンが開始されることを特徴とする。そして、第１、第２の実施形態と重複する部分は説明を省略し、第３の実施形態における特徴点を中心に説明する。
【０１２７】
（図２０を用いた演出状態の説明）
図２０に示すように、本実施の形態における演出状態は、「通常状態」と、「ＡＴ状態」、「ＡＲＴ状態」、「通常ボーナス状態」、「特殊ボーナス状態」とがある。
（通常状態）
本実施の形態における「通常状態」の演出状態としては、「通常一般状態」、「チャンスゾーン」、「ＡＲＴ前兆状態」とがある。
【０１２８】
（チャンスゾーン）
「チャンスゾーン」は、図１７に示す移行抽選手段271によるＡＴ抽選が実行され、「ＡＴ状態」への移行を期待させる演出状態である。そして、この「チャンスゾーン」中に、移行抽選手段271によるＡＴ抽選に当選して「ＡＴ状態」への移行が決定した場合には、「ＡＲＴ前兆状態」に移行し、「ＡＴ状態」への移行が決定しなかった場合には「通常一般状態」に移行する。なお、「通常一般状態」から「チャンスゾーン」へは、役抽選手段210による役抽選にて、所定の役に当選することが移行の条件となっている。
「チャンスゾーン」に移行すると、「通常一般状態」と比較して、「ＡＴ状態」への移行確率、すなわち、移行抽選手段271によるＡＴ抽選の当選確率が高くなる。なお、「チャンスゾーン」では、「通常一般状態」と比較して、ＡＴ抽選の当選確率が向上することに変え、又はこれ加えて、ＡＴ抽選が行われる機会が多くなることとしてもよい。
ここで、本実施の形態におけるチャンスゾーンは、３つのモードを有している。具体的には、キャラクターＡが登場してＡＴ状態への移行の期待値が「中」のαモードと、キャラクターＢが登場してＡＴ状態への移行の期待値が「高」のβモードと、キャラクターＣが登場してＡＴ状態への移行が「確定」のγモードとを有している。なお、「通常一般状態」においては、ＡＴ状態への移行の期待値が「低」となっている。
【０１２９】
（特典付与手段290）
特典付与手段290は、遊技者にとって有利な特典の付与を行うか否かの判断及び実行を行うものである。
ここで、本実施の形態における特典とは、「ＡＴゲーム数の上乗せ」及び「ＡＴ状態への移行確率の向上」である。すなわち、「ＡＴ状態への移行確率の向上」とは、ＡＴ状態の非継続が確定して通常状態へ移行した場合に、特典カウンタを有していれば、通常状態移行後に行われる演出状態がチャンスゾーンで開始されるというものである。そして、この通常状態移行後に行われる演出状態は特典カウンタのカウント値に応じて付与される。具体的には、特典カウンタのカウント値が「０」であれば、「通常一般状態」で遊技が開始され、「１〜３」であれば、チャンスゾーンのうち「αモード」で遊技が開始され、「４〜６」であれば、チャンスゾーンのうち「βモード」で遊技が開始され、「７以上」であれば、チャンスゾーンのうち「γモード」で遊技が開始されることとなっている。
【０１３０】
ここで、図１７に示すように、本実施の形態に係る特典付与手段290は、第１特典付与手段291と第２特典付与手段292とを備えている。そして、本実施の形態においては、第１特典付与手段291により、ＡＴゲーム数の上乗せを行うか否かの判断及び実行が行われる。一方、本実施の形態においては、第２特典付与手段292により、特典カウンタのカウント値に基づいて、ＡＴ状態から通常状態移行後に開始されるチャンスゾーンのモードが決定される。
また、特典付与手段290は、所定の契機に加算及び減算される特典カウンタを有している。そして、第１特典付与手段291は、所定の契機に、累積的に記憶している特典カウンタのカウント値に基づいて、ＡＴゲーム数の上乗せを行う。また、第２特典付与手段292は、所定の契機に、累積的に記憶している特典カウンタのカウント値に基づいて、ＡＴ状態から通常状態移行後に開始されるチャンスゾーンのモードを決定する。この第２特典付与手段292が行うＡＴ状態から通常状態移行後に開始されるチャンスゾーンのモードの決定の契機の詳細については後述する。
【０１３１】
（図２１及び図２２に示した継続抽選状態の基本的な流れの説明）
以下、図２１及び図２２に示すフローチャートに基づいて、第３の実施形態に係る継続抽選状態の遊技で実行する処理について説明する。なお、第１、第２の実施形態と重複する部分は説明を省略し、第３の実施形態における特徴点を中心に説明する。
図２１におけるステップS71〜S80の処理は、図１５におけるステップS30〜S39の処理と同様であり、図２２におけるステップS81〜S87の処理は、図１６におけるステップS40〜S46の処理と同様であることから説明を省略する。
【０１３２】
図２２に示すように、ステップS88において、第２特典付与手段292により、累積的に記憶している特典カウンタのカウント値に基づいて、次回の通常状態に対する特典、すなわち、ＡＴ状態から通常状態移行後に開始されるチャンスゾーンのモードが決定される。その後、通常状態へ移行して当該処理を終了する。
ステップS89において、第１特典付与手段291により、累積的に記憶している特典カウンタのカウント値に基づいて、次回のＡＲＴ通常状態において付与されるＡＴゲーム数の上乗せゲーム数が設定される。その後、ＡＲＴ通常状態へ移行して当該処理を終了する。
なお、チャンスゾーンのモードを１つとして、特典カウンタのカウント値に基づいて、チャンスモードへの移行しやすさを変更してもよいし、チャンスゾーンではなくＡＴ状態移行の高確率状態を複数備え、特典カウンタのカウント値に基づいて、移行する高確率状態を変更したり、ＡＴ状態移行の高確率状態を１つとして、特典カウンタのカウント値に基づいて、高確率状態への移行しやすさを変更したりしてもよい。
【０１３３】
（第４の実施形態）
以下、図２３、図２４、図２５及び図２６を用いて、本実施の形態に係る第４の実施形態を説明する。この第４の実施形態は、第１、第２及び第３の実施形態と異なり、ＡＲＴ通常状態においても、特典カウンタを減算して通常行われる抽選よりも有利な抽選を行い得る機会を設けたことを特徴とする。そして、第１、第２及び第３の実施形態と重複する部分は説明を省略し、第４の実施形態における特徴点を中心に説明する。なお、本実施の形態におけるメイン制御手段200及びサブ制御手段500は図２３に示した構成を備えている。
【０１３４】
（メイン制御手段200）
図２３に示すように、メイン制御手段200は、役抽選手段210、リール制御手段220、停止図柄判定手段230、払出制御手段240、遊技制御手段250、カウント手段260、ＡＴ制御手段270、遊技状態書換手段280、特典付与手段290、送信手段300、上乗せ抽選手段310の各手段を有する。各手段の詳細については後述する。なお、カウント手段260、ＡＴ制御手段270、遊技状態書換手段280、特典付与手段290及び上乗せ抽選手段310は、メイン制御手段200ではなく、サブ制御手段500が有しても良いし、又、メイン制御手段200とサブ制御手段500との両方に分けて有するようにしても良い。
【０１３５】
（上乗せ抽選手段310）  
上乗せ抽選手段310は、ＡＲＴ通常状態におけるゲーム数の上乗せ、すなわち加算されるＡＴゲーム数を抽選で決定するものである。
上乗せ抽選手段310は、抽選値と、所定範囲の整数値を繰り返してカウントするループカウンタを有する所定の乱数発生手段（乱数発生回路）が発生した乱数のうちから抽出した乱数とを比較して、所定回数の上乗せに当選したか否かを判定する。
そして、本実施の形態における上乗せ抽選手段310は、所定の契機に、「第１上乗せ抽選」を行う。詳細については後述する。
【０１３６】
（特典付与手段290）
特典付与手段290は、遊技者にとって有利な特典の付与を行うか否かの判断及び実行を行うものである。
ここで、本実施の形態における特典とは、「ＡＴゲーム数の上乗せ」である。具体的には、この「ＡＴゲーム数の上乗せ」は、上乗せ抽選手段310により行われる「第1上乗せ抽選」よりも上乗せ抽選の当選確率及び獲得可能なゲーム数が多い「第２上乗せ抽選」が行われることを意味する。
なお、「第２上乗せ抽選」が特許請求の範囲に記載されている「特典」に対応する。
【０１３７】
また、図２３に示すように、本実施の形態に係る特典付与手段290は、第１特典付与手段291を備えている。そして、本実施の形態においては、この第１特典付与手段291により、ＡＴゲーム数の上乗せ、すなわち第２上乗せ抽選を行うか否かの判断及び実行を行っている。
第１特典付与手段291は、所定の契機に加算及び減算される特典カウンタを有している。そして、第１特典付与手段291は、所定の契機に、自ら累積的に記憶している特典カウンタのカウント値を用いて、第２上乗せ抽選を行う。
【０１３８】
ここで、「特典カウンタ」は、本実施の形態においては、ＡＲＴ通常状態及び継続抽選状態において、役抽選にて所定の役、たとえば、チャンスリプレイに当選すると第１特典付与手段291により加算される。そして、その獲得した特典カウンタは、第１特典付与手段291により累積的に記憶されていく。一方、特典カウンタは、本実施の形態においては、ＡＴ継続抽選手段272による第２継続抽選が行われた場合及び第１特典付与手段291による第２上乗せ抽選が行われる毎に１ずつ減算される。
具体的には、本実施の形態における特典カウンタは、チャンスリプレイに当選することで加算され、遊技者が第２継続抽選又は第２上乗せ抽選を受けることを選択、すなわち、遊技者が特典カウンタを使用する操作を行った場合に減算されることとなっている。
ここで、「特典カウンタを使用する操作」とは、たとえば、ストップスイッチ50の停止操作を予め定められた操作態様（右、中、左の順で停止操作）で行ったり、スタートスイッチ40を所定回数押下操作したりすることなどをいう。
【０１３９】
（カウント手段260）
本実施の形態に係るカウント手段260は、上記第１、第２及び第３の実施形態で示した構成に加えて、上乗せ抽選手段310又は第１特典付与手段291によりＡＲＴ通常状態のＡＴゲーム数の上乗せが決定された場合は、当該決定されたゲーム数がＡＴゲーム数カウンタに加算され、累積的に記憶されるように設定されている。
【０１４０】
（図２４を用いたＡＲＴ通常状態の基本的な流れの説明）
図２４に示すフローチャートに基づいて、ＡＲＴ通常状態中の遊技で実行する処理について説明する。
ステップS90において、スタートスイッチ40の操作が行われた後、役抽選手段210により、役抽選が行われる。また、このとき、役抽選の結果がメイン制御手段200からサブ制御手段500へ送信される。その後、次のステップS91に進む。
ステップS91において、第１特典付与手段291により、特典カウンタが０より大きいか否かが判定される。ここで、第１特典付与手段291により、特典カウンタが０より大きいと判定されると、次のステップS92に進む。一方、第１特典付与手段291により、特典カウンタが０より大きくないと判定されると、ステップS95に進む。
なお、特典カウンタは、チャンスリプレイの当選により、加算され、遊技者により特典カウンタを使用する操作が行われると減算される。
また、特典カウンタのカウント値が１以上の場合には、遊技者がその旨を認識できるように報知することが望ましい。
【０１４１】
ステップS92において、第１特典付与手段291により、特典カウンタを使用する操作が遊技者により行われたか否かが判定される。ここで、第１特典付与手段291により、特典カウンタを使用する操作が遊技者により行われたと判定されると、次のステップS93に進む。一方、第１特典付与手段291により、特典カウンタを使用する操作が遊技者により行われていないと判定されると、ステップS95に進む。
ステップS93において、第１特典付与手段291により、累積的に記憶されている特典カウンタが１ずつ減算される。その後、次のステップS94に進む。
【０１４２】
ステップS94において、第１特典付与手段291により、第２上乗せ抽選が行われる。その後、ステップS96に進む。
ステップS95において、上乗せ抽選手段310により、第１上乗せ抽選が行われる。その後、次のステップS96に進む。
ステップS96において、ステップS94又はステップS95において行われた上乗せ抽選結果に基づいて、カウント手段260により、ＡＴゲーム数カウンタの更新処理が行われる。すなわち、第１上乗せ抽選又は第２上乗せ抽選に当選した場合には、当該獲得したゲーム数がＡＴゲーム数カウンタに加算される。その後、次のステップS97に進む。
【０１４３】
ステップS97において、カウント手段260により、ＡＲＴ通常状態におけるＡＴゲーム数が０ゲームより大きいか否かが判定される。ここで、カウント手段260により、ＡＴゲーム数が０ゲームより大きいと判定されると、再度ステップS90に戻る。一方、カウント手段260により、ＡＴゲーム数が０ゲームより大きくないと判定されると、継続抽選状態へ移行して当該処理を終了する。
【０１４４】
（図２５及び図２６を用いた継続抽選状態の基本的な流れの説明）
図２５及び図２６に示すフローチャートに基づいて、継続抽選状態中の遊技で実行する処理について説明する。なお、継続抽選状態においても、図２４を用いて説明したＡＲＴ通常状態と同様に、特典カウンタのカウント値が１以上の場合には、遊技者がその旨を認識できるように報知することが望ましい。
図２５に示すように、ステップS100において、スタートスイッチ40の操作が行われた後、役抽選手段210により、役抽選が行われる。また、このとき、役抽選の結果がメイン制御手段200からサブ制御手段500へ送信される。その後、次のステップS101に進む。
【０１４５】
ステップS101において、ＡＴ制御手段270により、当該継続抽選状態におけるＡＴ状態継続フラグがＯＮであるか否かが判定される。ここで、ＡＴ制御手段270により、ＡＴ状態継続フラグがＯＮであると判定されると、ステップS108に進む。一方、ＡＴ制御手段270により、ＡＴ状態継続フラグがＯＮではないと判定されると、次のステップS102に進む。
ステップS102において、第１特典付与手段291により、特典カウンタが０より大きいか否かが判定される。ここで、第１特典付与手段291により、特典カウンタが０より大きいと判定されると、次のステップS103に進む。一方、第１特典付与手段291により、特典カウンタが０より大きくないと判定されると、ステップS106に進む。
【０１４６】
ステップS103において、遊技状態書換手段280により、特典カウンタを使用する操作が遊技者により行われたか否かが判定される。ここで、遊技状態書換手段280により、特典カウンタを使用する操作が遊技者により行われたと判定されると、次のステップS104に進む。一方、遊技状態書換手段280により、特典カウンタを使用する操作が遊技者により行われていないと判定されると、ステップS106に進む。
ステップS104において、第１特典付与手段291により、累積的に記憶されている特典カウンタが１ずつ減算される。その後、次のステップS105に進む。
【０１４７】
ステップS105において、ＡＴ継続抽選手段272により、第２継続抽選が行われる。その後、ステップS107に進む。
ステップS106において、ＡＴ継続抽選手段272により、第１継続抽選が行われる。その後、次のステップS107に進む。
図２６に示すように、ステップS107において、ステップS105又はステップS106において行われたＡＴ継続抽選結果に基づいて、遊技状態書換手段280により、当該継続抽選状態におけるＡＴ状態継続フラグの更新が行われる。すなわち、第１継続抽選又は第２継続抽選に当選した場合には、遊技状態書換手段280により、ＡＴ状態継続フラグがＯＦＦからＯＮへ更新される。その後、ステップS114に進む。なお、言うまでもないが、第１継続抽選又は第２継続抽選に非当選の場合には、ＡＴ状態継続フラグは更新されず、ＯＦＦのままである。
ステップS108において、第１特典付与手段291により、特典カウンタが０より大きいか否かが判定される。ここで、第１特典付与手段291により、特典カウンタが０より大きいと判定されると、次のステップS109に進む。一方、第１特典付与手段291により、特典カウンタが０より大きくないと判定されると、ステップS112に進む。
【０１４８】
ステップS109において、第１特典付与手段291により、特典カウンタを使用する操作が遊技者により行われたか否かが判定される。ここで、第１特典付与手段291により、特典カウンタを使用する操作が遊技者により行われたと判定されると、次のステップS110に進む。一方、第１特典付与手段291により、特典カウンタを使用する操作が遊技者により行われていないと判定されると、ステップS112に進む。
ステップS110において、第１特典付与手段291により、累積的に記憶されている特典カウンタが１ずつ減算される。その後、次のステップS111に進む。
【０１４９】
ステップS111において、第１特典付与手段291により、第２上乗せ抽選が行われる。その後、ステップS113に進む。
ステップS112において、上乗せ抽選手段310により、第１上乗せ抽選が行われる。その後、次のステップS113に進む。
ステップS113において、ステップS111又はステップS112において行われた上乗せ抽選結果に基づいて、カウント手段260により、ＡＴゲーム数カウンタの更新処理が行われる。すなわち、第１上乗せ抽選又は第２上乗せ抽選に当選した場合には、当該獲得したゲーム数がＡＴゲーム数カウンタに加算される。その後、次のステップS114に進む。
【０１５０】
ステップS114において、カウント手段260により、継続抽選状態移行時に設定された継続ゲーム数から、カウント手段260の継続ゲーム数カウンタのカウント値が１ずつ減算される。その後、次のステップS115に進む。
ステップS115において、カウント手段260により、継続抽選状態における継続ゲーム数が０ゲームより大きいか否かが判定される。ここで、カウント手段260により、継続ゲーム数が０ゲームより大きくないと判定されると、次のステップS115に進む。一方、カウント手段260により、継続ゲーム数が０ゲームより大きいと判定されると、再度ステップS100に戻る。
ステップS116において、ＡＴ制御手段270により、ＡＴ状態を継続することが確定したか否かの判定が行われる。ここで、ＡＴ制御手段270により、ＡＴ状態を継続することが確定したと判定されると、ＡＲＴ通常状態へ移行して当該処理を終了する。一方、ＡＴ制御手段270により、ＡＴ状態を継続することが確定していないと判定されると、通常状態へ移行して当該処理を終了する。
なお、本実施の形態においても、通常状態への移行時に、特典カウンタのカウント値が１以上の場合には、第２及び第３の実施形態と同様の処理を行うことが可能である。
本実施の形態では、第１の実施形態乃至第３の実施形態と同様、継続抽選状態では、ＡＴ状態が継続するか否かを示唆する演出が行われている。そのため、遊技者は、当該継続抽選状態の演出（遊技進行結果）を確認しながら、第２継続抽選を行うのか、第２上乗せ抽選（特典）を行うのかを選択することができる。
つまり、演出が不利（ＡＴ状態継続の期待度小）である場合は、第２継続抽選を選択し、有利（ＡＴ状態継続の期待度大）である場合は、第２上乗せ抽選（特典）を選択するというように、現在行われている演出から今後の遊技進行結果を判断して選択を行うといった駆け引きが遊技性に入り込むことが可能となる。
なお、「特典カウンタを使用する操作」の操作態様は、第２上乗せ抽選を行う場合と第２継続抽選を行う場合とでは、異なる。
【０１５１】
（変形例）
以下、図２０、図２３、図２７、図２８及び図２９を用いて上記第１、第２、第３及び第４の実施形態に係る変形例を説明する。この変形例は、継続抽選状態ではなくＡＲＴ前兆状態において、特典カウンタを減算して遊技者にとって有利な抽選を行い得たり、特典カウンタのカウント値に応じて上乗せゲーム数が付与されたりするものである。そして、上記実施形態と重複する部分は説明を省略し、変形例における特徴点を中心に説明する。
【０１５２】
（遊技制御手段250）
図２３に示す、遊技制御手段250は、遊技状態又は演出状態を制御するものである。
具体的には、本形態における遊技制御手段250は、図２９に示すように、大別すると、一般遊技制御手段251、内部当選中状態制御手段255、ボーナス遊技制御手段256及びＡＲＴ前兆状態制御手段257の各手段を有する。
【０１５３】
（ＡＲＴ前兆状態制御手段257）
ＡＲＴ前兆状態制御手段257は、「ＡＲＴ前兆状態」（図２０参照）を制御するものである。
ＡＲＴ前兆状態制御手段257は、ＡＲＴ前兆状態移行時に当該ＡＲＴ前兆状態が本前兆か又はガセ前兆かに応じて、当該ＡＲＴ前兆状態終了後においてＡＲＴ準備状態へ移行するか否かのフラグ（以下、「本前兆フラグ」という）をＯＦＦ又はＯＮに設定する。そして、ＡＲＴ前兆状態制御手段257は、ＡＲＴ前兆状態におけるゲーム数（本形態では１０ゲーム）消化後に本前兆フラグがＯＮであると判定した場合には、演出状態をＡＲＴ準備状態へ移行させる。なお、ＡＲＴ前兆状態移行後における当初の本前兆フラグは、ＡＴ抽選に当選したゲームにおける役抽選結果に基づいても、ＡＲＴ前兆状態移行時にフラグ決定抽選を行い、その抽選結果に基づいてもよい。また、「通常一般状態」や「チャンスゾーン」等のＡＲＴ前兆状態へ移行する前の演出状態に基づいて、ＡＲＴ前兆状態移行後における当初の本前兆フラグを決定してもよい。
【０１５４】
（遊技状態書換手段280）
図２３に示す、遊技状態書換手段280は、ＡＲＴ前兆状態中の所定の契機に、ストップスイッチ50の操作態様に応じて、予め取得された遊技進行結果の書き換えを行うか否かの判断及び実行を行うものである。
具体的には、遊技状態書換手段280は、当該ＡＲＴ前兆状態がガセ前兆であっても、当該ＡＲＴ前兆状態移行後の遊技中に遊技状態書換手段280により行われる書換抽選に当選した場合には、ガセ前兆から本前兆へと演出状態の書き換えを行う。すなわち、ＡＲＴ前兆状態移行時における本前兆フラグがＯＦＦであっても、遊技状態書換手段280により行われる書換抽選に当選した場合には、本前兆フラグがＯＮとなり、ＡＲＴ準備状態への移行が決定する。
【０１５５】
（図２７及び図２８を用いたＡＲＴ前兆状態の基本的な流れの説明）
図２７及び図２８に示すフローチャートに基づいて、ＡＲＴ前兆状態中の遊技で実行する処理について説明する。
図２７に示すように、ステップS120において、スタートスイッチ40の操作が行われた後、役抽選手段210により、役抽選が行われる。また、このとき、役抽選の結果がメイン制御手段200からサブ制御手段500へ送信される。その後、次のステップS121に進む。
【０１５６】
ステップS121において、ＡＲＴ前兆状態制御手段257により、当該ＡＲＴ前兆状態における本前兆フラグがＯＮであるか否かが判定される。ここで、ＡＲＴ前兆状態制御手段257により、本前兆フラグがＯＮであると判定されると、ステップS127に進む。一方、ＡＲＴ前兆状態制御手段257により、本前兆フラグがＯＮでないと判定されると、次のステップS122に進む。
ステップS122において、ステップS120において行われた役抽選手段210による役抽選にて、チャンスリプレイに当選したか否かが判定される。ここで、役抽選手段210により、チャンスリプレイに当選したと判定されると、次のステップS123に進む。一方、役抽選手段210により、チャンスリプレイに当選していないと判定された場合には、ステップS126に進む。
なお、チャンスリプレイに当選した場合、遊技者が当選したことを認識できるよう報知する。
【０１５７】
ステップS123において、遊技状態書換手段280により、遊技者がストップスイッチ50の停止操作を第1操作態様で行ったか否かが判定される。ここで、遊技状態書換手段280により、遊技者がストップスイッチ50の停止操作を第1操作態様で行ったと判定されると、ステップS125に進む。一方、遊技状態書換手段280により、遊技者がストップスイッチ50の停止操作を第1操作態様で行っていないと判定された場合には、次のステップS124に進む。
ステップS124において、第１特典付与手段291により特典カウンタが１つ加算され、当該加算された特典カウンタが第１特典付与手段291により記憶される。その後、ステップS126に進む。
ステップS125において、遊技状態書換手段280により、書換抽選が行われる。その後、次のステップS126に進む。
【０１５８】
図２８に示すように、ステップS126において、ステップS125において行われた書換抽選結果に基づいて、遊技状態書換手段280により、当該ＡＲＴ前兆状態における本前兆フラグの更新が行われる。すなわち、書換抽選に当選した場合には、遊技状態書換手段280により、本前兆フラグがＯＦＦからＯＮへ更新される。その後、ステップS130に進む。なお、言うまでもないが、書換抽選に非当選の場合には、本前兆フラグは更新されず、ＯＦＦのままである。
ステップS127において、ステップS120において行われた役抽選手段210による役抽選にて、チャンスリプレイに当選したか否かが判定される。ここで、役抽選手段210により、チャンスリプレイに当選したと判定されると、次のステップS128に進む。一方、役抽選手段210により、チャンスリプレイに当選していないと判定された場合には、ステップS130に進む。
なお、チャンスリプレイに当選した場合、遊技者が当選したことを認識できるよう報知する。
【０１５９】
ステップS128において、第１特典付与手段291により、遊技者がストップスイッチ50の停止操作を第２操作態様で行ったか否かが判定される。ここで、第１特典付与手段291により、遊技者がストップスイッチ50の停止操作を第２操作態様で行ったと判定されると、次のステップS129に進む。一方、第１特典付与手段291により、遊技者がストップスイッチ50の停止操作を第２操作態様で行っていないと判定された場合には、ステップS130に進む。
ステップS129において、第１特典付与手段291により特典カウンタが１つ加算され、当該加算された特典カウンタが第１特典付与手段291により記憶される。その後、次のステップS130に進む。
ステップS130において、カウント手段260により、ＡＲＴ前兆状態移行時に設定されたゲーム数から、カウント手段260のＡＲＴ前兆状態におけるゲーム数に対応したゲーム数カウンタのカウント値が１ずつ減算される。その後、次のステップS131に進む。
ステップS131において、カウント手段260により、ＡＲＴ前兆状態におけるゲーム数が０ゲームより大きいか否かが判定される。ここで、カウント手段260により、ＡＲＴ前兆状態におけるゲーム数が０ゲームより大きくないと判定されると、次のステップS132に進む。一方、カウント手段260により、ＡＲＴ前兆状態におけるゲーム数が０ゲームより大きいと判定されると、再度ステップS120に戻る。
【０１６０】
ステップS132において、ＡＲＴ前兆状態制御手段257により、ＡＲＴ準備状態への移行が確定したか否かの判定が行われる。ここで、ＡＲＴ前兆状態制御手段257により、ＡＲＴ準備状態への移行が確定したと判定されると、ステップS134に進む。一方、ＡＲＴ前兆状態制御手段257により、ＡＲＴ準備状態への移行が確定していないと判定されると、次のステップS133に進む。
ステップS133において、第１特典付与手段291により、累積的に記憶している特典カウンタのカウント値のリセットを実行する。すなわち、第１特典付与手段291は、ＡＲＴ前兆状態においてＡＲＴ準備状態への移行が確定しない場合には、当該ＡＲＴ前兆状態で獲得したＡＴゲーム数の上乗せのリセットを行う。その後、通常一般状態へ移行して当該処理を終了する。
本形態では、第１の実施形態乃至第４の実施形態と同様、ＡＲＴ前兆状態では、ＡＲＴ状態に移行するか否かを示唆する演出が行われている。そのため、遊技者は、当該ＡＲＴ前兆状態の演出（遊技進行結果）を確認しながら、書換抽選を行うのか、特典を獲得するのかを選択することができる。
つまり、演出が不利（ガセ前兆）である場合は、書換抽選を選択し、有利（本前兆）である場合は、特典付与を選択するというように、現在行われている演出から今後の遊技進行結果を判断して選択を行うといった駆け引きが遊技性に入り込むことが可能となる。
【０１６１】
なお、ステップS133における処理は上記のものに限られない。たとえば、上記第２及び第３の実施形態のように第２特典付与手段292をさらに設けて、特典カウンタのカウント値に基づいて、ＡＴ状態への移行をかけての復活抽選を行っても（図１９、S67参照）、ＡＲＴ前兆状態の終了後に、チャンスゾーンへ移行することを決定（図２２、S87参照）してもよい。
ステップS134において、第１特典付与手段291により、累積的に記憶している特典カウンタのカウント値に基づいて、移行後のＡＲＴ準備状態から移行するＡＲＴ通常状態において付与されるＡＴゲーム数の上乗せゲーム数が設定される。その後、ＡＲＴ準備状態へ移行して当該処理を終了する。
なお、本形態で示した「ＡＲＴ前兆状態」における構成については、上記のように個別でも実現可能であるとともに、上記実施形態に示した「継続抽選状態」の構成と本形態における「ＡＲＴ前兆状態」の構成とを組み合わせて実現するなど、各実施の形態を組合せたり、一部変形をして組合せたりすることも可能である。
【０１６２】
（総括）
上記の第１、第２、第３及び第４の実施形態は、継続抽選状態中の所定の契機にストップスイッチ50の操作態様に応じて、通常よりも有利な条件の抽選を行うことを決定する遊技状態書換手段280と、継続抽選状態中の所定の契機にストップスイッチ50の操作態様に応じて、遊技者にとって有利な特典を付与する特典付与手段290とを備えている。
具体的には、遊技状態書換手段280は、継続抽選状態において、継続抽選状態移行時におけるＡＴ状態継続フラグがＯＦＦであっても、役抽選にて所定の役、たとえば、チャンスリプレイに当選し、かつ、第1操作態様でストップスイッチ50が停止操作されたと判定した場合には、ＡＴ状態の継続が高確率で当選する第２継続抽選の実行を決定する。そして、遊技状態書換手段280は、第２継続抽選に当選した場合には、ＡＴ状態継続フラグをＯＦＦからＯＮに書き換える。その結果、ＡＴ状態の継続が確定する。一方、遊技状態書換手段280により、第1操作態様でストップスイッチ50が停止操作されていないと判定された場合であっても、特典付与手段290によってＡＴゲーム数の上乗せ等の特典が付与される。
そのため、当初はＡＴ状態の継続が確定していないと遊技者が判定した場合でも、自らの操作態様によりＡＴ状態の継続の確定や、ＡＴゲーム数の上乗せ等を獲得できるため、遊技者の関心を維持することができ、期待感あふれる遊技とすることができる。
具体的には、継続抽選状態では、ＡＴ状態の継続を示唆する演出が行われるため、遊技者は、当該演出がＡＴ状態の継続が確定していると判定すれば、第２操作態様でストップスイッチ50を停止操作して特典カウンタを獲得でき、一方、当該演出がＡＴ状態の継続が確定していないと判定すれば、第１操作態様でストップスイッチ50を停止操作して第２継続抽選を受けることを選択できる。そのため、遊技者に現在、ＡＴ状態の継続が確定しているか否かを判定させた上で、ストップスイッチ50の操作態様を決定させることができるため、遊技の幅が広がり、興趣を高めることができる。
【０１６３】
また、特典付与手段290は、継続抽選状態において、継続抽選状態移行時におけるＡＴ状態継続フラグがＯＮであっても、役抽選にて所定の役、たとえば、チャンスリプレイに当選し、かつ、第２操作態様でストップスイッチ50が停止操作されたと判定した場合には、遊技者にＡＴゲーム数の上乗せ等の特典の付与を行う。
そのため、遊技者はさらなる利益を獲得しようと試みることで一層、遊技者の好奇心を刺激できるため、遊技者の興味を維持でき、期待感あふれる遊技とすることができる。
【０１６４】
さらに、特典付与手段290は、継続抽選状態において、最終的にＡＴ状態継続フラグがＯＦＦ、すなわち、ＡＴ状態の非継続が確定しており、かつ、特典カウンタを有する場合に、様々な利益又は不利益を遊技者に与えることができる。
遊技者に利益と与える場合としては、特典付与手段290が備える第２特典付与手段292により特典カウンタのカウント値に応じて、復活抽選の実行や通常状態移行後にチャンスゾーンが開始されるといったものである。
そのため、遊技者に利益となる場合、すなわち復活抽選の実行や通常状態移行後にチャンスゾーンが開始される場合には、ＡＴ状態が終了しても次回のＡＴ状態へのチャンスが獲得できるため、遊技者の興味を維持することができ、興趣を高めることができる。
一方、遊技者に不利益と与える場合としては、特典付与手段290が備える第１特典付与手段291により特典カウンタのリセットが行われることで、付与され得たＡＴゲーム数の上乗せがなくなるといったものである。
そのため、遊技者に不利益となる場合、すなわちＡＴゲーム数の上乗せがリセットされる場合にはＡＴ状態を継続させることでそれを回避すべく、遊技者に継続抽選状態中の遊技進行に一喜一憂させることができるため、継続抽選状態に対する遊技者の興味を維持でき、期待や関心を継続することができる。
【０１６５】
また、上記の第４の実施形態では、遊技者に特典カウンタの使用可否の判断を行わせることができる抽選、すなわち、ＡＴ継続抽選手段272が行う第２継続抽選と、第１特典付与手段291が行う第２上乗せ抽選との２種類が設けられている。これらの抽選は、通常行われる第１継続抽選及び第１上乗せ抽選と比べて、ＡＴ継続抽選の当選確率が高い、上乗せゲーム数を多く獲得できる、などといった「通常よりも有利な抽選」である。さらに、第１、第２及び第３の実施形態と異なり、継続抽選状態に加えてＡＲＴ通常状態においても遊技者に特典カウンタの使用可否の判断を行わせることができる抽選、具体的には、第２上乗せ抽選が設けられている。
そのため、遊技者にとっては、特典カウンタを減算して通常よりも有利な抽選が受けられる機会が増えたこととなり、「現在の特典カウンタをＡＲＴ通常状態又は継続抽選状態のどちらで使用するのが得策なのか」等のように、遊技者を選択させることができるので、遊技者の興味を維持でき、期待感あふれる遊技とすることができる。
【０１６６】
さらに、本発明は、上記の第１、第２、第３及び第４の実施形態と変形例とを組み合わせること、すなわち、継続抽選状態とともに、又はこれに加えてＡＲＴ前兆状態においても適用可能である。そのため、遊技内容を変化に富んだものにすることができ、遊技が単調となることを避けることができて飽きさせずに興味を維持させることができる。
なお、上記の実施の形態又は変形例では、特典カウンタは所定の契機に「１」加算されることとしたが、所定の重複当選グループ（図１０参照）によって特典カウンタの加算数を変化させることとしてもよい。たとえば、ＣＲＰ１〜３では、特典カウンタが「１」加算、ＣＲＰ４〜６では、特典カウンタが「２」加算、ＣＲＰ７、８では、特典カウンタが「３」加算されることとしてもよい。
なお、第２継続抽選の当選確率を所定の重複当選グループ（図１０参照）によって変化させてもよい。たとえば、ＣＲＰ１〜４では、第２継続抽選、すなわち、ＡＴ継続抽選の当選確率が「高」、ＣＲＰ４〜８では、第２継続抽選、すなわち、ＡＴ継続抽選の当選が「確定」、などとしてもよい。
【０１６７】
なお、ＡＲＴ前兆状態及び継続抽選状態において、表示装置84上に制限時間等を表示させることとし、本前兆フラグ又はＡＴ状態継続フラグがＯＦＦとＯＮの場合とで時間の経過等を変化させ、遊技者に現在の演出状態が本前兆若しくはガセ前兆又はＡＴ状態の継続若しくはＡＴ状態の非継続であることを示唆することとしてもよい。
なお、第２の実施形態において、第２特典付与手段292により付与される特典は、「復活抽選の実行」に限られず、特典カウンタのカウント値に応じて、「継続ゲーム数」を付与し、継続抽選状態を再開させることとしてもよい。
なお、第３の実施形態において、第２特典付与手段292により付与される特典は、「ＡＴ状態への移行確率の向上」に限られない。たとえば、所定のゲーム数の間は、所定の重複当選グループ（図１０参照）のうち、特典カウンタが「２」以上加算されるＣＲＰ４〜８の当選確率を向上させることとしてもよい。
なお、第４の実施形態において、遊技者の操作態様により特典カウンタを「２」以上減算させることを可能とし、特典カウンタを「２」減算した場合には、第２上乗せ抽選に加えて、第１上乗せ抽選を受けられることとしてもよい。
【符号の説明】
【０１６８】
10  遊技機                              12  筐体
14  前扉                                16  図柄表示窓部
20  上パネル                            22  下パネル
24  貯留払出手段                        26  メダル受け皿
28  メダル払出口
30  操作部                              34  マックスベットスイッチ
36  精算スイッチ                        38  メダル投入口
40  スタートスイッチ                    50  ストップスイッチ
Ｌ 左ストップスイッチ                    Ｃ 中ストップスイッチ
Ｒ 右ストップスイッチ
60  リールユニット                      61  図柄
62  回転リール                          64  左回転リール
66  中回転リール                        68  右回転リール
70  演出装置
72  スピーカー                          74  上部スピーカー
76  下部スピーカー                      78  演出用ランプ
80  上部ランプ                          82  下部ランプ
84  表示装置                            86  有効ライン
100 制御装置                            200 メイン制御手段
210 役抽選手段                          220 リール制御手段
230 停止図柄判定手段                    240 払出制御手段
250 遊技制御手段                        251 一般遊技制御手段
252 ノーマル状態制御手段                253 一般状態制御手段
254 ＲＴ制御手段                        255 内部当選中状態制御手段
256 ボーナス遊技制御手段                257 ＡＲＴ前兆状態制御手段
260 カウント手段
270 ＡＴ制御手段                        271 移行抽選手段
272 ＡＴ継続抽選手段                    280 遊技状態書換手段
290 特典付与手段                        291 第１特典付与手段
292 第２特典付与手段                    300 送信手段
310 上乗せ抽選手段
500 サブ制御手段
510 受信手段                            520 通常演出制御手段
530 ＡＴ演出制御手段                    540 ボーナス演出制御手段
【図１】
0006348889.tif 000002
【図２】
0006348889.tif 000003
【図３】
0006348889.tif 000004
【図４】
0006348889.tif 000005
【図５】
0006348889.tif 000006
【図６】
0006348889.tif 000007
【図７】
0006348889.tif 000008
【図８】
0006348889.tif 000009
【図９】
0006348889.tif 000010
【図１０】
0006348889.tif 000011
【図１１】
0006348889.tif 000012
【図１２】
0006348889.tif 000013
【図１３】
0006348889.tif 000014
【図１４】
0006348889.tif 000015
【図１５】
0006348889.tif 000016
【図１６】
0006348889.tif 000017
【図１７】
0006348889.tif 000018
【図１８】
0006348889.tif 000019
【図１９】
0006348889.tif 000020
【図２０】
0006348889.tif 000021
【図２１】
0006348889.tif 000022
【図２２】
0006348889.tif 000023
【図２３】
0006348889.tif 000024
【図２４】
0006348889.tif 000025
【図２５】
0006348889.tif 000026
【図２６】
0006348889.tif 000027
【図２７】
0006348889.tif 000028
【図２８】
0006348889.tif 000029
【図２９】
0006348889.tif 000030